(57)【要約】例えば、モバイル通信デバイス特権に少なくとも部分的に、基づいて、測距および／またはローカリゼーションサービスのための１つまたは複数の動作または技法を容易にするまたはサポートするために、全体的または部分的に利用され得る例の方法、装置、または製造品が、本明細書に開示される。【選択図】図１
2019500763.tif 000002
【特許請求の範囲】
【請求項１】
測距サービスを提供する方法であって、
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定することと
を備える、方法。
【請求項２】
前記決定された前記特権のレベルに少なくとも部分的に、基づいて前記測距サービスの品質を決定することをさらに備える、
請求項１に記載の方法。
【請求項３】
前記測距サービスが前記モバイルデバイスに対して利用可能でない場合前記モバイルデバイスにメッセージを送信することをさらに備え、前記測距サービスの前記利用可能性は、前記測距サービスの前記決定された品質に少なくとも部分的に、基づく、
請求項２に記載の方法。
【請求項４】
ファインタイミング測定（ＦＴＭ）／ファインタイミング測定要求（ＦＴＭＲ）メッセージの交換を用いるラウンドトリップ時間（ＲＴＴ）測定に基づく測距サービスへのアクセスを前記モバイルデバイスに許可することをさらに備える、
請求項２に記載の方法。
【請求項５】
送信要求（ＲＴＳ）／送信可（ＣＴＳ）メッセージの交換を用いるＲＴＴ測定に基づく測距サービスへのアクセスを前記モバイルデバイスに許可することをさらに備える、
請求項２に記載の方法。
【請求項６】
ＲＴＴ測定に基づく測距サービスへのアクセスを前記モバイルデバイスに許可することをさらに備える、
請求項２に記載の方法。
【請求項７】
以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することをさらに備える、
請求項２に記載の方法。
【請求項８】
以下の、ＲＴＴ測定値におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することをさらに備える、
請求項２に記載の方法。
【請求項９】
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項１に記載の方法。
【請求項１０】
前記特権の前記レベルを前記決定することは、
前記モバイルデバイスに前記１つまたは複数のパラメータをマッピングすることと、
前記１つまたは複数のマッピングされたパラメータに少なくとも部分的に、基づいて前記特権の前記レベルを決定することと
をさらに備える、請求項１に記載の方法。
【請求項１１】
前記１つまたは複数のパラメータは、前記測距サービスの前記品質と前記特権の前記レベルを関連付けるように、前記モバイルデバイスにマッピングされる、
請求項１に記載の方法。
【請求項１２】
前記１つまたは複数のパラメータは、前記モバイルデバイスによってアクセス可能なデータベースにおいて前記モバイルデバイスにマップされる、
請求項１１に記載の方法。
【請求項１３】
前記測距サービスは、ＲＴＴ測定に基づく測距サービスを備える、
請求項１に記載の方法。
【請求項１４】
測距サービスを提供する装置であって、
前記測距サービスを支援する測定値を取得するためにモバイルデバイスから１つまたは複数のメッセージを受信するための手段、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定するための手段と
を備える、装置。
【請求項１５】
前記特権の前記レベルを前記決定するための手段は、
前記モバイルデバイスに前記１つまたは複数のパラメータをマッピングするための手段と、
前記１つまたは複数のマッピングされたパラメータに少なくとも部分的に、基づいて前記特権の前記レベルを決定するための手段と
をさらに備える、請求項１４に記載の装置。
【請求項１６】
前記１つまたは複数のパラメータは、前記測距サービスの品質と前記特権の前記レベルを関連付けるように、前記モバイルデバイスにマッピングされる、
請求項１５に記載の装置。
【請求項１７】
測距サービスを提供する装置であって、
前記測距サービスを支援する測定値を取得するためにモバイルデバイスから１つまたは複数のメッセージを受信することを行うように電子通信ネットワークと通信するワイヤレストランシーバ、前記１つまたは複数のメッセージは、前記モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスから受信された前記１つまたは複数のメッセージ中の前記１つまたは複数のパラメータに少なくとも部分的に、基づいて前記モバイルデバイスの特権のレベルを決定すること
を行うように構成される、装置。
【請求項１８】
前記１つまたは複数のプロセッサは、前記決定された前記特権のレベルに少なくとも部分的に、基づいて前記測距サービスの品質を決定することを行うようにさらに構成される、
請求項１７に記載の装置。
【請求項１９】
前記１つまたは複数のプロセッサは、前記測距サービスが前記モバイルデバイスに対して利用可能でない場合前記モバイルデバイスにメッセージを送信することを行うようにさらに構成され、前記測距サービスの前記利用可能性は、前記測距サービスの前記決定された品質に少なくとも部分的に、基づく、
請求項１８に記載の装置。
【請求項２０】
１つまたは複数のプロセッサは、ＦＴＭ／ＦＴＭＲメッセージの交換を用いるＲＴＴ測定に基づいて測距サービスへのアクセスを前記モバイルデバイスに許可することを行うようにさらに構成される、
請求項１８に記載の装置。
【請求項２１】
前記１つまたは複数のプロセッサは、ＲＴＳ／ＣＴＳメッセージの交換を用いるＲＴＴ測定に基づいて測距サービスへのアクセスを前記モバイルデバイスに許可することをさらに行うようにさらに構成される、
請求項１８に記載の装置。
【請求項２２】
前記１つまたは複数のプロセッサは、ＲＴＴ測定に基づいて測距サービスへのアクセスを前記モバイルデバイスに許可することを行うようにさらに構成される、
請求項１８に記載の装置。
【請求項２３】
前記１つまたは複数のプロセッサは、以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することを行うようにさらに構成される、
請求項１８に記載の装置。
【請求項２４】
前記１つまたは複数のプロセッサは、以下の、ＲＴＴ測定におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することを行うようにさらに構成される、
請求項１８に記載の装置。
【請求項２５】
前記１つまたは複数のパラメータは、以下の、前記モバイルデバイスのＭＡＣアドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項１７に記載の装置。
【請求項２６】
前記特権の前記レベルを決定することを行うように構成される前記１つまたは複数のプロセッサは、
前記モバイルデバイスに前記１つまたは複数のパラメータをマッピングすることと、
前記１つまたは複数のマッピングされたパラメータに少なくとも部分的に、基づくべき前記特権の前記レベルを決定することと
を行うようにさらに構成される、請求項１７に記載の装置。
【請求項２７】
前記１つまたは複数のパラメータは、前記測距サービスの前記品質と前記特権の前記レベルを関連付けるように、前記モバイルデバイスにマッピングされる、
請求項１７に記載の装置。
【請求項２８】
前記１つまたは複数のパラメータは、前記モバイルデバイスによってアクセス可能なデータベースにおいて前記モバイルデバイスにマップされる、
請求項２７に記載の装置。
【請求項２９】
前記測距サービスは、ＲＴＴ測定に基づく測距サービスを備える、
請求項１７に記載の装置。
【請求項３０】
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定することと
を行うようにプロセッサによって実行可能な命令を有する非一時的記憶媒体。
【請求項３１】
測距サービスを提供する方法であって、
モバイルデバイスで、前記測距サービスを支援する測定値を取得するために１つまたは複数のメッセージを送信すること、前記１つまたは複数のメッセージは、前記モバイルデバイスの１つまたは複数の特徴に対応する１つまたは複数のパラメータを備える、と、
前記モバイルデバイスの前記１つまたは複数の特徴に対応する前記１つまたは複数のパラメータに少なくとも部分的に、基づいて前記モバイルデバイスのための決定された特権のレベルを示すメッセージを受信することと
を備える、方法。
【請求項３２】
前記特権の前記決定されたレベルに少なくとも部分的に、基づいて前記測距サービスの品質を受信することをさらに備え、前記測距サービスの前記品質は、前記モバイルデバイスの１つまたは複数の特徴に対応する前記１つまたは複数のパラメータに少なくとも部分的に、基づいて決定される、
請求項３１に記載の方法。
【請求項３３】
前記測距サービスが前記モバイルデバイスに対して利用可能でない場合、メッセージを受信することをさらに備え、前記測距サービスの前記利用可能性は、前記測距サービスの前記決定された品質に少なくとも部分的に、基づく、
請求項３２に記載の方法。
【請求項３４】
ファインタイミング測定（ＦＴＭ）／ファインタイミング測定要求（ＦＴＭＲ）メッセージの交換を用いるラウンドトリップ時間（ＲＴＴ）測定に基づく測距サービスにアクセスすることをさらに備える、
請求項３２に記載の方法。
【請求項３５】
送信要求（ＲＴＳ）／送信可（ＣＴＳ）メッセージの交換を用いるＲＴＴ測定に基づく測距サービスにアクセスすることをさらに備える、
請求項３２に記載の方法。
【請求項３６】
以下の、ＦＴＭ／ＦＴＭＲメッセージ交換、ＲＴＳ／ＣＴＳメッセージ交換、またはこれらの任意の組み合わせのうちの少なくとも１つを用いる、周期性を制限したＲＴＴ測定を取得することさらに備える、
請求項３２に記載の方法。
【請求項３７】
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項３１に記載の方法。
【請求項３８】
測距サービスを提供する装置であって、
前記測距サービスを支援する測定値を取得するために１つまたは複数のメッセージを送信することを行うように電子通信ネットワークと通信するワイヤレストランシーバ、前記１つまたは複数のメッセージは、モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスの前記１つまたは複数の特徴に対応する前記１つまたは複数のパラメータに少なくとも部分的に、基づいて前記モバイルデバイスのための決定された特権のレベルを示すメッセージを受信すること
を行うように構成される、装置。
【請求項３９】
前記１つまたは複数のプロセッサは、前記決定された前記特権のレベルに少なくとも部分的に、基づいて前記測距サービスの品質を受信することを行うようにさらに構成される、
請求項３８に記載の装置。
【請求項４０】
前記１つまたは複数のプロセッサは、ＦＴＭ／ＦＴＭＲメッセージの交換を用いるＲＴＴ測定に基づく測距サービスにアクセスすること、またはＲＴＳ／ＣＴＳメッセージの交換を用いるＲＴＴ測定に基づいて測距サービスにアクセスすることを行うようにさらに構成される、
請求項３９に記載の装置。
【発明の詳細な説明】
【関連出願】
【０００１】
本ＰＣＴ出願は、参照によりその全体が本明細書に援用される、２０１５年９月２３日に出願された「RANGING AND/OR LOCALIZATION SERVICE BASED ON MOBILE DEVICE PRIVILEGE」と題された、米国特許非仮出願第１４／８６３，２４６号への優先権、およびその利益を主張する。
【背景技術】
【０００２】
１．分野
[0001]本開示は、一般に、モバイル通信デバイスの位置またはロケーション推定に関し、より具体的には、モバイル通信デバイス特権に少なくとも部分的に基づく、測距および／またはローカリゼーションに関する。
【０００３】
２．情報 
[0002]モバイル通信デバイス、例えば、セルラ電話、ポータブルナビゲーションユニット、ラップトップコンピュータ、携帯情報端末、または同様のものなどは、日々ますます一般的になりつつある。例えば、ロケーション認識（location-aware）セルラ電話、スマートフォン、または同様のものなどの、ある特定のモバイル通信デバイスは、様々なシステムから取得または収集された測位支援パラメータ（positioning assistance parameters）を提供することによって、ユーザがそれらの地理的ロケーションを推定することを支援し得る。例えば、屋外環境では、ある特定のモバイル通信デバイスは、セルラ電話、あるいは他のワイヤレスまたは電子通信ネットワークを介して、全地球測位システム（ＧＰＳ）または他の同様の全地球航法衛星システム（ＧＮＳＳ：Global Navigation Satellite Systems）などの衛星測位システム（ＳＰＳ：satellite positioning system）、セルラ基地局などからワイヤレス信号を捕捉することによって、それらの地理的ロケーションまたはいわゆる「位置フィックス（position fix）」の推定値（estimate）を取得し得る。捕捉されたワイヤレス信号は、例えば、モバイル通信デバイスによってまたはモバイル通信デバイスにおいて処理され得、そのロケーションは、アドバンスト順方向リンク三辺測量（ＡＦＬＴ：Advanced Forward Link Trilateration）、基地局識別、セルタワー三辺測量、または同様のものなどの、既知の技法を使用して推定され得る。
【０００４】
[0003]屋内環境では、モバイル通信デバイスは、１つまたは複数の位置推定技法を容易にするまたはサポートするために、衛星または同様のワイヤレス信号を確実に受信または捕捉することができない可能性がある。例えば、ＳＰＳまたは他の無線送信機からの信号は、減衰される、またはさもなければ、（例えば、不十分、微弱、断片的、など）何らかの方法で影響を受けることがあり、これは、ポジション推定のためにそれらを使用することを少なくとも部分的に妨げうる（preclude）。時に、モバイル通信デバイスは、既知のロケーションに位置している３つ以上の地上波ワイヤレス送信機デバイスへの距離を測定することによって、位置フィックスを取得し得る。距離は、例えば、適切なアクセスポイントから受信されたワイヤレス信号から媒体アクセス制御識別子（ＭＡＣ ＩＤ）アドレスを取得し、信号強度、ラウンドトリップ遅延、または同様のものなどの、受信された信号の１つまたは複数の特性を測定することによって測定され得る。しかしながら、いくつかの事例では、ラウンドトリップ遅延時間測定値が、例えば利用される利用される場合など、距離を測定する処理が、モバイル通信デバイスの、ワイヤレス通信リンクにおける帯域幅、メモリ空間、バッテリー寿命、等のような、利用可能なリソースに字著しく負担を掛け、データ使用量、関連したコストまたはデータ使用料、あるいは同様のものを増大させ得る。
【図面の簡単な説明】
【０００５】
[0004]非限定的かつ非網羅的な態様が、以下の図を参照して説明され、ここで、同様の参照番号は、別段の規定がない限り、様々な図の全体を通して同様の部分を指す。
【図１】実例的な動作環境のインプリメンテーションと関連付けられた特徴を例示する概略図。
【図２Ａ】モバイルデバイス特権に、少なくとも部分的に基づいて測距および／またはローカリゼーションサービスを容易にするまたはサポートするように実行される例示の処理のインプリメンテーションを示すフローチャート。
【図２Ｂ】モバイルデバイス特権に、少なくとも部分的に基づいて測距および／またはローカリゼーションサービスを容易にするまたはサポートするように実行される例示の処理の別のインプリメンテーションを示すフローチャート。
【図３】ＦＴＭ／ＦＴＭＲメッセージ交換の例示のネットワーク通信図。
【図４】モバイルデバイスと関連付けられた実例的なコンピューティング環境のインプリメンテーションを例示する概略図。
【図５】サーバと関連付けられた実例的なコンピューティング環境のインプリメンテーションを例示する概略図。
【発明の概要】
【０００６】
[0011]実例的なインプリメンテーションは、モバイル通信デバイス特権に、少なくとも部分的に基づいて、測距および／またはローカリゼーションサービスのための技術に関する。１つのインプリメンテーションでは、方法は、測距サービスを支援する測定値を取得するために、モバイルデバイスから１つまたは複数のメッセージを受信すること、１つまたは複数のメッセージは、モバイルデバイスの１つまたは複数の特徴に対応する１つまたは複数のパラメータを備える、と、モバイルデバイスから受信した１つまたは複数のメッセージ中の１つまたは複数のパラメータに少なくとも部分的に、基づいてモバイルデバイスの特権のレベルを決定することとを備え得る。
【０００７】
[0012]別のインプリメンテーションでは、装置は、測距サービスを支援する測定値を取得するために、モバイルデバイスから１つまたは複数のメッセージを受信するための手段、１つまたは複数のメッセージは、モバイルデバイスの１つまたは複数の特徴に対応する１つまたは複数のパラメータを備える、と、モバイルデバイスから受信した１つまたは複数のメッセージ中の１つまたは複数のパラメータに少なくとも部分的に、基づいてモバイルデバイスの特権のレベルを決定するための手段とを備え得る。
【０００８】
[0013]また別の１つのインプリメンテーションでは、装置は、測距サービスを支援する測定値を取得するために、モバイルデバイスから１つまたは複数のメッセージを受信することを行うように電気通信ネットワークと通信するワイヤレストランシーバ、１つまたは複数のメッセージは、モバイルうデバイスの１つまたは複数の特徴に対応する１つまたは複数のパラメータを備える、と、メモリに結合される１つまたは複数のプロセッサ、１つまたは複数のプロセッサおよびメモリは、モバイルデバイスから受信した１つまたは複数のメッセージ中の１つまたは複数のパラメータに少なくとも部分的に、基づいてモバイルデバイスの特権のレベルを決定することを行うように構成される、とを備え得る。
【０００９】
[0014]また別の１つのインプリメンテーションでは、製品は、測距サービスを支援する測定値を取得するために、モバイルデバイスから１つまたは複数のメッセージを受信すること、１つまたは複数のメッセージは、モバイルうデバイスの１つまたは複数の特徴に対応する１つまたは複数のパラメータを備える、と、モバイルデバイスから受信した１つまたは複数のメッセージ中の１つまたは複数のパラメータに少なくとも部分的に、基づいてモバイルデバイスの特権のレベルを決定することとを行うようにプロセッサによって実行可能な命令を有する非一時的記憶媒体を備え得る。
【００１０】
[0015]また別の１つのインプリメンテーションでは、方法は、モバイルデバイスで、測距サービスを支援する測定値を取得するために、１つまたは複数のメッセージを送信すること、１つまたは複数のメッセージは、モバイルデバイスの１つまたは複数の特徴に対応する１つまたは複数の送信されたパラメータを備える、と、モバイルデバイスの１つまたは複数の特徴に少なくとも部分的に、基づいてモバイルデバイスのための特権の決定されたレベルを示すメッセージを受信することとを備え得る。
【００１１】
[0016]また別の１つのインプリメンテーションでは、装置は、測距サービスを支援する測定値を取得するために、１つまたは複数のメッセージを送信することを行う、電子通信ネットワークと通信するワイヤレストランシーバ、１つまたは複数のメッセージは、モバイルデバイスの１つまたは複数の特徴に対応する１つまたは複数のパラメータを備える、と、メモリに結合される１つまたは複数のプロセッサ、１つまたは複数のプロセッサおよびメモリは、モバイルデバイスの１つまたは複数の特徴に対応する１つまたは複数の送信されたパラメータに少なくとも部分的に、基づいてモバイルデバイスのための決定された特権のレベルを示すメッセージを受信することを行うように構成される、とを備え得る。しかしながら、これらが実例的なインプリメンテーションにすぎず、特許請求される主題事項は、これらの特定のインプリメンテーションに限定されるものではないことが理解されるべきである。
【発明を実施するための形態】
【００１２】
[0017]以下の詳細な説明では、数多くの具体的な詳細が、特許請求される主題事項の完全な理解を与えるために示される。しかしながら、特許請求される主題事項は、これらの具体的な詳細なしで実施されうることが当業者によって理解されるであろう。他の事例では、当業者には既知であろう方法、装置、またはシステムは、特許請求される主題事項を不明瞭にしないように、詳細には説明されていない。
【００１３】
[0018]モバイル通信デバイス特権に少なくとも部分的に、基づいて、測距および／またはローカリゼーションサービスのための１つまたは複数の動作および／または技法を容易にするまたはサポートするために、全体的または部分的にインプリメントされ得るいくつかの例となる方法、装置、または製造品が、本明細書に開示される。本明細書で使用される場合、「モバイル通信デバイス」、「モバイルデバイス」、「ロケーション認識モバイルデバイス」、または同様の用語は、交換して使用可能であり得、変化する位置またはロケーションを随時有し得る任意の種類の特殊目的コンピューティングプラットフォームまたは装置を指し得る。いくつかの事例において、モバイル通信デバイスは、例えば、１つまたは複数の通信プロトコルにしたがった情報のワイヤレス送信または受信を通して、モバイルまたはそうではない他のデバイスと通信することが可能であり得る。例示として、本明細書においてモバイルデバイスと単純に呼ばれ得る専用モバイル通信デバイスは、例えば、セルラ電話、スマート電話、携帯情報端末（ＰＤＡ）、ラップトップコンピュータ、パーソナルエンターテイメントシステム、タブレットパーソナルコンピュータ（ＰＣ）、パーソナル音声あるいはビデオデバイス、パーソナルナビゲーションデバイス、無線ヒートマップ生成ツール、または同様のものを含み得る。しかしながら、これらは、モバイルデバイス特権に少なくとも部分的に、基づいて測距および／またはローカリゼーションサービスのための１つまたは複数の動作または技法を実装するために少なくとも部分的に使用され得るモバイルデバイスの単なる例にすぎないこと、および本願請求項に記載される主題事項は、この点に関して限定されないことが認識されるべきである。「位置」および「ロケーション」という用語が、本明細書では交換して使用可能であり得ることにも留意されたい。
【００１４】
[0019]前に暗に示したように、屋内環境または部分的にあるいは実質的に取り囲まれたエリア（例えば、ビルの谷間、等）における、ある特定のモバイルデバイスは、１つまたは複数の位置推定技法を容易にするまたはサポートするために衛星または同様のワイヤレス信号を確実に受信または捕捉することができないことがある。したがって、異なる技法が、屋内ナビゲーションサービスまたはロケーションサービスを可能にするために用いられ得る。たとえば、セルラ電話のような、モバイルデバイスの屋内位置フィックスは、様々なシステムから集められた情報に少なくとも部分的に、基づいて取得され得る。１つのそのようなシステムは、たとえば、多数の近接モバイルデバイスのための通信をサポートする米国電気電子学会（ＩＥＥＥ）標準８０２．１１（ＩＥＥＥ８０２．１１ｓｔｄ．Ｗｉ−Ｆｉアクセスポイント）に従って動作するアクセスポイントのような、多数のワイヤレス送信機を有するワイヤレスローカルアクセスネットワーク（ＷＬＡＮ）通信システムを備え得る。ここで、位置フィックスを取得するために、モバイルデバイスは、１つまたは複数の適切な計算を用いるなど、既知のロケーションに位置する３つ以上の地上波Ｗｉ−Ｆｉアクセスポイントに対する距離を測定する。距離は、たとえば、既知のＷｉ−Ｆｉアクセスポイントからの媒体アクセス制御（ＭＡＣ）アドレスを取得することと、適切なメッセージ交換を用いて取得されるような、受信信号強度を示す１つまたは複数の信号特徴（たとえば、受信信号強度インジケータ（ＲＳＳＩ）、等）、ラウンドトリップ遅延時間（ＲＴＴ、等）、または同様のものを測定することとを行うことによって測定され得る。計算された距離に少なくとも部分的に、基づいて、モバイルデバイスは、たとえば、単にいくつかの可能なインプリメンテーションを示すために、三辺測量、三角測量、等のような１つまたは複数の適切な位置技法を適用することによってそのロケーションを推定し得る。
【００１５】
[0020]しかしながら、たとえ関連する伝搬空間が全くまたはほとんど変化しないとしても、時間とともに、屋内または同様の環境内の記憶されたＲＳＳＩ値は、変化し得る。ＲＳＳＩ値が、例えば、時に、マルチパスフェージングまたはシャドーイング効果のような、環境干渉に遭いやすいので、パスロスベースの測距は、より少ない正確性または有用性になり得る。加えて、これらのモデルで用いられるパラメータは、典型的に、サイト特有（site-specific）および／または非線形である。したがって、ＲＳＳＩベースの測距と比較すると、いくつかの事例では、ＲＴＴ測定に基づく測距は、その測定結果が屋外伝搬距離で線形にスケールされ得るので、有効であるとわかり得る。このコンテキストでは、「測距および／またはローカリゼーションサービス」、「ＲＴＴ測定に基づく測距」、「測距サービス」、または同様の用語は、交換可能に使用され、たとえば、送信機から基準ポイントおよび基準ポイントから送信機に伝わる１つまたは複数の信号の移動時間（travel time）の測定を用いて送信機から基準ポイントまでの距離またはレンジ（distance or range）を測定または推定する特定のサービス（たとえば、ロケーションベースのサービス（ＬＢＳ）、等）に関連してインプリメントされる等の、技法を指し得る。たとえば、ＲＴＴ測定に基づく測距は、マルチパス修正を用いるＲＴＴ測定に基づく測距、受信信号強度インジケータ（ＲＳＳＩ）を用いるＲＴＴ測定に基づく測距、後方散乱変調、無線信号を利用するＲＴＴ測定に基づく測距、音響信号、赤外線信号、または同様なもの等の、このような技法の任意のタイプまたはバリエーションを含み得る。したがって、無線信号を使用するＲＴＴ測定に基づく測距への参照が、議論を容易にする等の、本明細書全体で行われるにもかかわらず、適切なまたは適用可能なラウンドトリップ時間の１つまたは複数の測定を容易にするまたはサポートすることが可能な任意の適切な信号は、本明細書全体または一部で用いられ得る。
【００１６】
[0021]したがって、時に、モバイルデバイスは、例えば、モバイルデバイスとワイヤレス送信機との間の適切なメッセージ交換のＲＴＴ測定に少なくとも部分的に、基づいてＷｉ−Ｆｉアクセスポイントのような、ワイヤレス送信機に対するレンジを（たとえば、サーバを介して）計算または取得し得る。後にわかることになるように、いくつかの事例では、メッセージ交換は、単にいくつかの可能なインプリメンテーションを例証するために、ＩＥＥＥ８０２．１１ｖ標準、ＩＥＥＥ８０２．１１ｍｃ標準、等に関連してインプリメントされる等の、ファインタイミング測定（ＦＴＭ）およびファインタイミング測定要求（ＦＴＭＲ）メッセージ交換（ＦＴＭ／ＦＴＭＲメッセージ交換）を備え得る。例えば、モバイルデバイスおよびワイヤレス送信機は、多数のＦＴＭフレーム交換をインプリメントし、ＦＴＭフレーム／確認応答（ＡＣＫ）に応答し、送信時間および到着時間のそれぞれの測定値を記憶および／または共有し得る。送信時間および到着時間の記憶された測定値に少なくとも部分的に、基づいて、ＲＴＴ測定値が例えば、推定され、適用可能なレンジが１つまたは複数の適切な技法（たとえば、三角測量、等）を使用等して計算されるまたは取得され得る。ＦＴＭ／ＦＴＭＲフレームの特定の例は、図３を参照して以下でより詳細に説明されることになる。
【００１７】
[0022]同様に、いくつかの事例では、モバイルデバイスと適用可能なワイヤレス送信機との間のレンジは、送信要求／送信可（ＲＴＳ／ＣＴＳ）メッセージ交換を用いて少なくとも部分的に、計算または取得され得る。例えば、モバイルデバイスは、（たとえば、ＲＴＳデータフレーム、等を用いて）１つまたは複数のＩＥＥＥ８０２．１１標準プローブ要求を送信することによってアクセスポイントへの信号ＲＴＴを測定することと、（たとえば、ＣＴＳデータフレーム、等を用いて）応答メッセージの受信までの時間を測定することとを行うことによってレンジを計算または取得し得る。プローブ要求は、たとえば、エリアにおいてその存在を通知し、ＭＡＣアドレス、ビーコンが送られた時間を持つタイムスタンプを有する信号関連の識別子、または他のモバイルデバイス関連の情報のような、適用可能なまたは適切な情報を中継するためにモバイルデバイスによって周期的に送信され得る。ＲＴＳ／ＣＴＳメッセージ交換は、一般に知られており、より詳細に本明細書で説明される必要はない。再び、特許請求される主題事項が例えば、ＲＴＴ測定値を推定する、および／またはモバイルデバイスと適用可能なワイヤレス送信機との間のレンジを計算または取得する目的のために、特定の、標準、測距プロトコル、ワイヤレス信号のタイプに限定されないことに注意されたい。したがって、任意の他の適切な技法またはアプローチは、特許請求される主題事項の範囲および／または精神から逸脱しない範囲および／または精神全体または一部が本明細書で利用され得る。
【００１８】
[0023]いくつかの事例では、ＦＴＭ／ＦＴＭＲメッセージの交換は、例えば時に、屋内位置フィックスを計算する等のために、ＲＴＳ／ＣＴＳフレームよりさらに正確なレンジを生じさせる一方、ＦＴＭ／ＦＴＭＲフレームは、より多くのネットワークまた他のリソースを消費し得る。例えば、同じアクセスポイントからサービスを受信する複数のモバイルデバイスがあるような、より密集した動作環境では、ＦＴＭ／ＦＴＭＲメッセージ交換は、さもなければ、他のサービス（たとえば、インターネットプロトコル（ＩＰ）サービス、等）、モバイルデバイス、等によって、またはこれらのために用いられるより多くのアップリンクおよび／またはダウンリンクリソースを消費し得る。加えて、ＲＴＴ測定を容易にまたはサポートするために、例えば、必要な数のＦＴＭ／ＦＴＭＲメッセージ交換を実行するために、より多くのネットワークリソース（たとえば、特定のアクセスポイント、等）および時間が具体的に割り振られる必要があり得る。これは、動作上高価であり、より密集した動作環境または同様なものにおいて測位レイテンシにつながり得る。したがって、時に、ネットワーク負荷バランシング、チャネル優先権を割り振ること、関連するワイヤレストラフィックを調整すること、または同様のもの等の目的のために、より高い正確性のおよび／またはより動作上高価なＲＴＴ測定に、いくつかの手法においてアクセスを制限することが、特定の通信ネットワーク、サービスプロバイダ、現場オペレータ、雇用者のために有益であり得る。 その結果、時に、モバイルデバイス特権に少なくとも部分的に、基づく階層的測距および／またはローカリゼーションサービス等を用いて、より効率的および／またはより効果的な屋内または同様のローカリゼーションをインプリメントする１つまたは複数の方法、システム、および／または装置が望まれ得る。
【００１９】
[0024]したがって、以下でより詳細に議論されることになるように、インプリメンテーションでは、特権のあるレベルは、例えば、特定のモバイルデバイス（および同一の場所にいるユーザ）に割り当てられ得る、または関連付けられ得る。いくつかの事例では、特権のレベルは、例えば、屋内または興味のある同様のエリア等内で、モバイルデバイスによって受信されるべき、および／またはサーバおよび／または関連するワイヤレス通信ネットワークによって提供されるべき測距および／またはローカリゼーションサービスの品質を表すまたはそれらに対応し得る。後にわかることにように、いくつかの事例では、割り当てられたまたは関連する特権のレベルは、１つまたは複数のモバイルデバイス―サーバ通信に少なくとも部分的に、関連して決定され得る。決定された特権のレベルに少なくとも部分的に、基づいて、測距および／またはローカリゼーションサービスの適用可能な品質がたとえば、提供され得る。たとえば、時に、より高い特権のレベルを持つモバイルデバイスは、相対的により正確であるが動作上より高価なＦＴＭ／ＦＴＭＲメッセージの交換を利用するＲＴＴ測定に基づく測距および／またはローカリゼーションサービスへのアクセスが許可され得る。いくつかの事例では、より低い階層の特権のレベルを持つモバイルデバイスは、交換ＦＴＭ／ＦＴＭＲメッセージを利用するＲＴＴメッセージに基づく測距および／またはローカリゼーションサービスへのアクセスが拒否されるが、相対的により正確でないが高価でもないＲＴＳ／ＣＴＳメッセージの交換を利用するＲＴＴ測定に基づく測距および／またはローカリゼーションサービスへのアクセスが許可され得る。これらの任意の適切な組み合わせまたは同様のアプローチはまた、用いられ得るまたはさもなければく考慮され得る（例えば、ある時間期間内で、モバイルデバイスが例えば、ＦＴＭ／ＦＴＭＲメッセージの交換を用いて１つのＲＴＴ測定値が割り振られ、ＲＴＳ／ＣＴＳメッセージの交換にを用いて５つのＲＴＴ測定値が割り振れられ得る、等）。加えて、以下で議論されるように、時に、決定された特権に少なくとも部分的に、基づいて、特定のメッセージ交換のＲＴＴ頻度または周期性は、例えば、適切な手法において制限され得る、または調整され得る。さらに、いくつかの事例では、より低い階層の測距サービスを持つモバイルデバイス等について、例えば、特定のメッセージ交換のＲＴＴ測距正確性をある程度に低くするまたは低下させるような、ランダムエラーが、後でわかるように、入れられ得るまたは導入され得る。
【００２０】
[0025]図１は、例えば、ロケーション認識モバイルデバイス１０２などのモバイルデバイスの特権に少なくとも部分的に、基づく測距および／またはローカリゼーションサービスのための１つまたは複数の処理または動作を容易にするまたはサポートすることが可能な、例となる動作環境１００のインプリメンテーションに関連付けられた特徴を例示する概念図である。動作環境１００は、パブリックネットワーク（例えば、インターネット、ワールドワイドウェブ）、プライベートネットワーク（例えば、イントラネット）、ワイヤレスローカルエリアネットワーク（ＷＬＡＮなど）、または同様のものなどの、様々な電気通信ネットワークまたはネットワークの組み合わせのコンテキストにおいて、全体的または部分的にインプリメントされ得る非限定的な例として本明細書で説明されることが理解されるべきである。本願の主題が、屋内のインプリメンテーションに限定されるものではないこともまた留意されるべきである。例えば、時に、本明細書で説明される１つまたは複数の動作または技法は、屋内のような環境において、少なくとも部分的に実行されることができ、これは、都市ビルの谷間、町の広場、円形競技場、立体駐車場、屋上庭園、パティオ（patio）、または同様のものなどの、部分的にまたは実質的に囲まれたエリア（enclosed areas）を含み得る。時に、本明細書で説明される１つまたは複数の動作または技法は、屋外環境において、少なくとも部分的に実行され得る。
【００２１】
[0026]例示されるように、あるインプリメンテーションでは、モバイルデバイス１０２は、例えば、衛星測位システム（ＳＰＳ）信号１０４をＳＰＳ衛星１０６から受信または捕捉し得る。いくつかの事例では、ＳＰＳ衛星１０６は、例えば、ＧＰＳまたはガリレオ衛星システムなどの単一の全地球航法衛星システム（ＧＮＳＳ）からのものであり得る。他の事例では、ＳＰＳ衛星１０６は、限定はされないが、ＧＰＳ、ガリレオ、グロナス、または北斗（コンパス）衛星システムなどの、複数のＧＮＳＳからのものであり得る。ある特定の実装では、ＳＰＳ衛星１０６は、例えば、ほんの数例を挙げると、ＷＡＡＳ、ＥＧＮＯＳ、ＱＺＳＳなどの、いくつかの地域航法衛星システム（ＲＮＳＳ：regional navigation satellite systems）のいずれかからのものであり得る。
【００２２】
[0027]時に、モバイルデバイス１０２は、例えば、適当なワイヤレス通信ネットワークにワイヤレス信号を送信するか、または適当なワイヤレス通信ネットワークからワイヤレス信号を受信し得る。１つの例において、モバイルデバイス１０２は、例えば、ワイヤレス通信リンク１１０を通じて、基地局トランシーバ１０８にワイヤレス信号を送信するか、または基地局トランシーバ１０８からワイヤレス信号を受信することになどよって、セルラ通信ネットワークと通信し得る。同様に、モバイルデバイス１０２は、ワイヤレス通信リンク１１４を介して、ローカルトランシーバ１１２にワイヤレス信号を送信するか、またはローカルトランシーバ１１２からワイヤレス信号を受信し得る。基地局トランシーバ１０８、ローカルトランシーバ１１２などは、例えば、同じまたは同様のタイプであり得るか、または、実装に従って、アクセスポイント、無線ビーコン、セルラ基地局、フェムトセル、または同様のものなどの、異なるタイプのデバイスを表し得る。  いくつかの事例では、ローカルトランシーバ１１２は、例えば、ワイヤレス信号を送信または受信することが可能なワイヤレス送信機または受信機を備え得る。
【００２３】
[0028]特定の実装では、ローカルトランシーバ１１２は、ワイヤレス通信リンク１１０を通じて基地局トランシーバ１０８を介して確立されるレンジよりも、ワイヤレス通信リンク１１４を介して、より短いレンジでモバイルデバイス１０２と通信することが可能であり得る。例えば、ローカルトランシーバ１１２は、屋内または同様の環境に位置し得、ワイヤレスローカルエリアネットワーク（ＷＬＡＮ、例えば、ＩＥＥＥ  Ｓｔｄ．８０２．１１ネットワークなど）、またはワイヤレスパーソナルエリアネットワーク（ＷＰＡＮ、例えば、Ｂｌｕｅｔｏｏｔｈ（登録商標）ネットワークなど）へのアクセスを提供し得る。示されるように、時に、ローカルトランシーバ１１２に関連付けられた屋内または同様の環境は、例えば、複数のモバイルデバイスがＦＴＭ／ＦＴＭＲメッセージに関連するなどの、ローカルトランシーバ１１２からサービスを受信する場合のより密集した環境を備え、それは、アップリンクおよび／またはダウンリンクリソースを消費する、ワイヤレストラフィック輻輳を作るまたは一因になる、利用可能な帯域幅に重い負担を掛け（tax）る、または同様のものであり得る。インプリメンテーションでは、ローカルトランシーバ１１２は、適用可能なセルラまたは同様のワイヤレス通信プロトコルに従って、リンク１１４を介して通信を容易にすることが可能なフェムトセルを備え得る。当然ながら、これらは、ワイヤレスリンクを通してモバイルデバイス１０２と通信し得るデバイスの単なる例にすぎないことが理解されるべきであり、本願請求項に記載される主題事項は、この点において限定されない。例えば、いくつかの事例では、動作環境１００は、より多くの数の基地局トランシーバ１０８、ローカルトランシーバ１１２などを含み得、ローカルトランシーバ１１２は、メッセ―交換（ＦＴＭ／ＦＴＭＲ、等）の他のタイプ、または同様のものの代わりまたはこれらに加えるなどの、ＲＴＳ／ＣＴＳメッセージ交換をインプリメントすることが可能であり得る。
【００２４】
[0029]いくつかの実装では、基地局トランシーバ１０８、ローカルトランシーバ１１２などは、１つまたは複数のリンク１２４を介してネットワーク１２２を通じてサーバ１１６、１１８、または１２０と通信し得る。ネットワーク１２２は、例えば、ワイヤードまたはワイヤレス通信リンクのいずれの組み合わせも備え得る。具体的な実装では、ネットワーク１２２は、例えば、ローカルトランシーバ１１２、基地局トランシーバ１０８などを介して、モバイルデバイス１０２と１つまたは複数のサーバ１１６、１１８、１２０などとの間の通信を容易にするまたはサポートすることが可能なインターネットプロトコル（ＩＰ）タイプのインフラストラクチャを備え得る。別の実装では、ネットワーク１２２は、例えば、モバイルデバイス１０２とのモバイルセルラ通信を容易にするまたはサポートするために、基地局コントローラまたはマスタ切り替えセンタなどのセルラ通信ネットワークインフラストラクチャを備え得る。以下で議論されるように、いくつかの実例では、ネットワーク１２２は、適用可能な測定値または同様のものを取得する、ＦＴＭ／ＦＴＭＲメッセージ交換、ＲＴＳ／ＣＴＳメッセージ交換などの、１つまたは複数のメッセージ交換を容易にし得るまたはサポートし得る。
【００２５】
[0030]サーバ１１６、１１８、および／または１２０は、本明細書で説明される１つまたは複数の動作または技術を容易にするまたはサポートすることが可能な、任意の適当なサーバまたはそれらの組合せを備え得る。例えば、サーバ１１６、１１８、および／または１２０は、１つまたは複数の位置支援サーバ、ナビゲーションサーバ、マップサーバ、クラウドソーシングサーバ、ネットワークに関連するサーバ、または同様のものを備え得る。サーバ１１６、１１８、および／または１２０は、モバイルデバイス１０２（および同じ位置にいるユーザ）のための特権のレベルを設定するおよび提供すること、モバイルデバイスによって受信されるべき測距および／またはローカリゼーションサービスの特定の品質をインプリメントすること、位置支援データを提供すること、または同様のものなどの、本明細書で議論される１つまたは複数の動作または処理を容易にし得る。
【００２６】
[0031]特定のインプリメンテーションでは、および以下にも説明されるように、モバイルデバイス１０２は、最初にまたは別な方法で、モバイルデバイス１０２の位置フィックスまたは推定されたロケーションを計算することが可能な回路または処理リソースを有し得る。例えば、モバイルデバイス１０２は、４つ以上のＳＰＳ衛星１０６までの疑似範囲測定値（pseudorange measurements）に少なくとも部分的に基づいて位置フィックスを計算し得る。ここで、モバイルデバイス１０２は、４つ以上のＳＰＳ衛星１０６から捕捉された信号１０４における疑似雑音コード位相検出に少なくとも部分的に基づいて、そのような疑似範囲測定値を計算し得る。特定の実装では、モバイルデバイス１０２は、ほんの数例を挙げると、例えば、アルマナック（ａｌｍａｎａｃ）、エフェメリスデータ（ephemeris data）、ドップラ検索ウィンドウ（Doppler search windows）を含む、ＳＰＳ衛星１０６によって送信される信号１０４の捕捉を手助けするための測位支援データを１つまたは複数のサーバ１１６、１１８、または１２０から受信し得る。
【００２７】
[0032]いくつかのインプリメンテーションでは、モバイルデバイス１０２は、例えば、観測到着時間差（ＯＴＤＯＡ：observed time difference of arrival）または同様のものなどのいくつかの技法のうちのいずれか１つを使用して、既知のロケーションに位置している１つまたは複数の地上波送信機（例えば、基地局トランシーバ１０８、ローカルトランシーバ１１２など）から受信されたワイヤレス信号を処理することによって、位置フィックスを取得し得る。これらの技法では、モバイルデバイス１０２からのレンジは、例えば、示されたように、これらの送信機によって送信され、モバイルデバイス１０２で受信された１つまたは複数の基準信号に少なくとも部分的に、基づいて地上波送信機のうちの３つ以上に対して測定され得る。いくつかの事例では、モバイルデバイス１０２は、さらに示されたように、ＦＴＭ／ＦＴＭＲ、ＲＴＳ／ＣＴＳ、または同様のメッセージ交換のＲＴＴ測定値から取得される必要範囲に少なくとも部分的に、基づいて位置フィックスを計算することが可能であり得る。時には、サーバ１１６、１１８、または１２０は、例えば、動作環境１００に関連付けられた１つまたは複数の特定のエリアまたは領域中のセルラ基地局（例えば、基地局トランシーバ１０８、ローカルトランシーバ１１２など）の、ロケーション、アイデンティティ、方向などを示す基地局アルマナック（ＢＳＡ：base station almanac）を含み得る。
【００２８】
[0033]ある実装では、モバイルデバイス１０２は、例えば、サーバ１１６、１１８、および／または１２０から１つまたは複数の測位動作のための測位支援データを受信し得る。時に、測位支援データは、例えば、ＲＴＴ、または他の測定値少なくとも部分的に、基づいて、これらの送信機のために範囲を測定するための既知のロケーションに位置している１つまたは複数のローカルトランシーバ１１２、基地局トランシーバ１０８などの、ロケーション、アイデンティティ、方向などを含み得る。いくつかの事例では、測位動作を手助けするための測位支援データは、例えば、ほんの数例を挙げると、無線ヒートマップ、コンテキストパラメータマップ、ルート能力グラフなどを含み得る。モバイルデバイス１０２によって受信された他の支援データは、例えば、ナビゲーションを表示するまたはナビゲーションに役立つための、屋内または同様のエリアの電子デジタルマップを含み得る。マップは、例えば、特定のエリアに入る際にモバイルデバイス１０２に提供され得、化粧室、公衆電話、室名、店舗、または同様のものなどの関心地点（points of interest）の、ドア、廊下、入り口、壁などのような適用可能な特徴を示し得る。屋内または同様の関心あるエリアのデジタルマップを取得することによって、モバイルデバイス１０２は、例えば、関連するユーザに追加のコンテキスト、基準系（frame of reference）、または同様のものを提供するように、このエリアの表示されたマップ上にその現在のロケーションをオーバレイ（ｏｖｅｒｌａｙ）することが可能であり得る。「測位支援データ」および「ナビゲーション支援データ」という用語は、本明細書では交換して使用可能であり得る。
【００２９】
[0034]インプリメンテーションによると、モバイルデバイス１０２は、例えば、ユニバーサルリソースロケータ（ＵＲＬ）の選択を通してこのようなデータ要求することによって、サーバ１１６、１１８、および／または１２０を介して屋内ナビゲーション支援データにアクセスし得る。特定のインプリメンテーションでは、サーバ１１６、１１８、および／または１２０は、ほんの数例を挙げると、例えば、建物のフロア、病院の棟、空港のターミナル、大学キャンパスの複数部分、大型ショッピングモールの複数エリア、を含む多くの異なる屋内エリアをカバーするために屋内ナビゲーション支援データを提供することが可能であり得る。また、モバイルデバイス１０２におけるメモリまたはデータ送信リソースが、サーバ１１６、１１８、および／または１２０によってサービスされる全てのエリアに関して非現実的または実行不可能な屋内測位支援データの受信を行う場合、モバイルデバイス１０２からのこのようなデータに関する要求は、例えば、モバイルデバイス１０２のロケーションの大まかなまたは粗い推定を示し得る。モバイルデバイス１０２は次に、例えば、モバイルデバイス１０２の大まかに推定されたロケーションを含むまたはそれに近接する１つまたは複数のエリアをカバーする、屋内ナビゲーション支援データを提供され得る。
【００３０】
[0035]特定の数のコンピューティングプラットフォームまたはデバイスが本明細書で例示されているが、任意の数の適当なコンピューティングプラットフォームまたはデバイスが、動作環境１００に関連付けられた１つまたは複数の技法または処理を容易にするまたはサポートするために実装され得る。例えば、時には、ネットワーク１２２は、モバイルデバイス１０２、１つまたは複数の基地局１０８、ローカルトランシーバ１１２、サーバ１１６、１１８、１２０、または同様のものとの通信のためのカバレッジエリアを拡張するように、１つまたは複数のワイヤードまたはワイヤレス通信ネットワーク（例えば、ＷＬＡＮなど）に結合され得る。いくつかの事例では、ネットワーク１２２は、例えば、カバレッジのフェムトセルベースの動作領域を容易にするまたはサポートし得る。繰り返しになるが、これらは、単に例となる実装にすぎず、本願請求項に記載される主題事項は、この点に関して限定されない。
【００３１】
[0036]これを考慮して、図２Ａに注目し、これは、例えば、図１のモバイルデバイス１０２などの、特定のモバイルデバイスの特権に少なくとも部分的に、基づいて１つまたは複数の動作または技法を容易にするまたはサポートするために、全体的にまたは部分的に実行され得る例となる処理２００のインプリメンテーションを例示するフロー図である。例えば、例となる処理２００に関連付けられる入力信号、出力信号、動作、結果などのような捕捉されるまたは作成される情報が、１つまたは複数のデジタル信号を介して表され得ることに留意されたい。１つまたは複数の動作が、同時にまたはある特定のシーケンスに関連して例示または説明されているが、他のシーケンスまたは同時動作が用いられ得ることも認識されるべきである。加えて、以下の説明は、ある特定の他の図に例示された特定の態様または特徴を参照しているが、１つまたは複数の動作は他の態様または特徴を用いて行われ得る。
【００３２】
[0037]例示の処理２００は、例えば、測距サービスを支援して測定値を取得するためにモバイルデバイスから１つまたは複数のメッセージを受信することで、動作２０２で開始し得る。示されたように、少なくとも１つのインプリメンテーションでは、測距および／またはローカリゼーションサービスは、例えば、モバイルデバイスと、適用可能なワイヤレス送信機との間のレンジを計算または推定するために少なくとも部分的に、使用され得る、適切な信号（例えば、無線、音響、赤外線、等）のラウンドトリップ時間測定に基づく測距および／またはローカリゼーションサービスを備え得る。時に、１つまたは複数の受信メッセージは、例えば、以下で議論されるように、モバイルデバイスの特権のレベルを決定するために、１つの可能な例として、適切なサーバなどによって少なくとも部分的に、使用される１つまたは複数のパラメータを含み得る。インプリメンテーションに依存して、１つまたは複数のパラメータは、例えば、単にいくつかの例を例証するために、通信モバイルデバイスの、ＭＡＣアドレス、モデル、オペレーティングシステム、測距性能、等を備え得る。時に、１つまたは複数のパラメータは、後にわかるように、測距サービスのある品質と特定のモバイルデバイス（およびその割り当てられた特権のレベル）を結びつけるパラメータを備え得る。同様に、任意の適切なパラメータの組み合わせは、全体または部分的に本明細書で使用され、さもなければ考慮され得る。
【００３３】
[0038]したがって、時に、屋内または同様の興味のあるエリア内に位置するモバイルデバイスは、１つまたは複数の近接ワイヤレス送信機（例えば、図１の基地局トランシーバ１０８、ローカルトランシーバ１１２、等）を使用して適切なサーバ（例えば、サーバ１１６、１１８、１２０、等）に１つまたは複数のメッセージを通信し得、適切または適用可能なワイヤレス通信標準および／またはプロトコルを用いてＲＴＴ測定に基づく測距および／またはローカリゼーションサービスへのアクセスを要求し得る。例えば、いくつかの事例では、モバイルデバイスは、単に１つの可能なインプリメンテーションを例証するために、ＩＥＥＥ８０２．１１ｖ標準に関連するなどの、ＦＴＭ／ＦＴＭＲメッセージの交換を利用するＲＴＴ測定に基づく測距および／またはローカリゼーションサービスへのアクセスを要求し得る。簡潔に、説明の目的のために、図３の例のネットワーク通信図３００を用いて示されるように、受信局（受信ＳＴＡ）として本明細書で参照される、測距サービスを開始するモバイルデバイスは、例えば、送信局（送信ＳＴＡ）として本命さしょで参照される、接近ワイヤレス送信機にＦＴＭ要求３０２を送信し得る。ワイヤレス送信機は、例えば、ＦＴＭ確認応答（ＡＣＫ）フレーム３０４を用いて本明細書で例証される応答メッセージを生成し送信し得る。
【００３４】
[0039]さらにわかるように、モバイルデバイスおよびワイヤレス送信機は、多数の後続のＦＴＭフレームを交換し、例えば、送信および到着時間のそれぞれの測定値を記憶および共有する等のために、ＦＴＭフレーム／確認応答（ＡＣＫ）に応答し得る。ここで、送信時間および到着時間の測定値は、例えば、それぞれ、ＦＴＭ／ＦＴＭＲフレームの、１つまたは複数の出発時間（ＴＯＤ）測定値および１つまたは複数の到着時間（ＴＯＡ）測定値を備え得る。例えば、ワイヤレス送信機は、時刻ｔ１で（例えば、タイムスタンプ、等を用いて）記憶されたＴＯＤ測定値を、（例えば、ペイロード、等中の）ＦＴＭフレーム３１０を用いてモバイルデバイスに送信し、（ＦＴＭＲ３０２に応答して）モバイルデバイスへの応答メッセージ（Ｍ）３０６を送信した後に続いてモバイルデバイスから受信されたＡＣＫメッセージ３０８に応答して、時刻ｔ４で、記憶されたＴＯＡ測定値を送信し得る。ここで、モバイルデバイスは、例えば、受信時間ｔ２等に関連して、上の応答メッセージ３０６のＴＯＡ測定値を記憶し、送信時間ｔ３に関連して、上のＡＣＫメッセージ３０８のＴＯＤ測定値を記憶し得る。したがって、送信および受信時間ｔ１、ｔ２、ｔ３、およびｔ４の知識を持って、モバイルデバイスは、例えば、以下の式のように適用可能なワイヤレス送信機に対するＲＴＴを計算または推定することが可能である。  
ＲＴＴ＝（ｔ４−ｔ１）−（ｔ３−ｔ２）
【００３５】
[0040]以上での議論の続きおよび例として図３００を使用して、（例えば、ＦＴＭ要求３０２、等を用いて）ＲＴＴ測定値に基づく測距および／またはローカリゼーションサービスを要求する一方、モバイルデバイスは、例えば、適切なサーバに１つまたは複数のパラメータを（図２Ａの動作２０２に関連して）通信し得る。限定ではなく例として、少なくとも１つのインプリメンテーションでは、１つまたは複数のパラメータは、例えば、ＦＴＭＲ３０２のペイロードを用いて通信され得、以下で議論されるように、要求モバイルデバイスに関する適切および／または適用可能な情報を備え得る。後にわかることになるように、近接ワイヤレス送信機は、例えば、該当する場合、ＡＣＫメッセージ３０４のペイロード等中に、特定の特権のレベルおよび／または興味のある１つまたは複数のモバイルデバイスのためのサービスプランを含み得る。時に、特権および／またはサービスプラン決定は、例えば、適切であれば、接近したワイヤレス送信機によってまたは近接ワイヤレス送信機で、および／または適用可能なバックエンドサーバで、インプリメントされ、それは、例えば、適用可能な特権のレベルおよび／またはサービスプランのワイヤレス送信機を決定し通知し得る。
【００３６】
[0041]インプリメンテーションでは、モバイルデバイス特権に関する情報は、例えば、ｄｅｖｉｃｅＴｙｐｅ（例えば、０：ラップトップ、１：電話、２：携帯機器、．．．）、ｍｏｄｅｌＮａｍｅ（例えば、「Ｇａｌａｘｙ  Ｓ６」、ＯＳＮａｍｅ（例えば、「Ａｎｄｒｏｉｄ」）、ＯＳＶｅｒ（例えば、「４．１」）、ＲＴＴＣａｐａｂｉｌｉｔｙ（例えば、０：無し、１：ＲＴＳ／ＣＴＳのみ、２：ＦＴＭ、．．．）、ＰｒｅｆｅｒｒｅｄＲＴＴＳｅｒｖｉｃｅ（例えば、１：ＲＴＳ／ＣＴＳのみ、２：ＦＴＭ、．．．）、ＰｒｅｆｅｒｒｅｄＲＴＴＡｃｃｕｒａｃｙ（例えば、「１メートル」または「３０メートル」）、ＩＺａｔＳｅｒｖｉｃｅＬｅｖｅｌ（例えば、０：ベーシック、１：プレミアム）、またはそれと同様なものなどの、非セキュアな情報を含み得る。よりセキュアな情報は、例えば、１つまたは複数のより適切な技法を使用するなどの、相互認証の後に交換され、例えば、ａｓｓｏｃｉａｔｉｏｎＮａｍｅ（例えば、「会社名」）、ａｓｓｏｃｉａｔｉｏｎＴｙｐｅ（例えば、：０：会社員、１：派遣社員、２：訪問者）、または同様なものを含み得る。任意の適切な応答メッセージ（例えば、ＡＣＫメッセージ３０４、応答メッセージ３０６、等）のペイロードを用いるなど、示されたように、接近したワイヤレス送信機は、例えば、ｓｕｐｐｏｒｔｅｄＳｅｒｖｉｃｅＴｙｐｅ（例えば、０：非ＲＴＴ、１：ＲＴＳ／ＣＴＳのみ、２：ＦＴＭ）、ｓｕｐｐｏｒｔｅｄＳｅｒｖｉｃｅＩｎｔｅｒｖａｌ（例えば、「１秒」または「２分」）、ｓｕｐｐｏｒｔｅｄＳｅｒｖｉcｅＡｃｃｕｒａｃｙ（例えば、「２メートル」、または「３０メートル」）または同様なものなどの、特定のモバイルデバイスに適用可能な決定された特権のレベルおよび／またはサービスプランを含み得る。当然ながら、これらは、例のメッセージ、フォーマット、等に関する単なる詳細にすぎず、特許請求される主題事項は、それに限定されるものではない。
【００３７】
[0042]時に、より正確なＦＴＭ／ＦＴＭＲメッセージ交換を用いてＲＴＴ測定に基づく測距および／またはローカリゼーションサービスが利用できないとＡＣＫフレーム３０４が示す場合、例えば、メッセージ交換は、１つの可能な例として、ＡＣＫフレーム３０４の通信の後などで終了され得る。そのような場合では、特権のレベルは、例えば、同様な方法などで、プローブ要求／応答、認証要求／応答、関連付要求／応答、ＲＴＳ／ＣＴＳ、または同様なものなどの、他の適切なメッセージ交換を用いて少なくとも部分的に、決定され得る。例えば、ＲＴＳおよび／ＣＴＳフレームは、特権報告および／またはサービスプラン記述をサポートするなどの、１つまたは複数のオプションのペイロードおよび／または値を備え得る。いくつかの事例では、より高い特権のレベルが要求されるおよび／または適用可能な場合など、例えば、メッセージ交換は、要求／応答メッセージの関連性および／またはより高いレベルのプロトコル認証（例えば、適切なプロンプトウィンドウ等で  「会社員ＩＤ」を記入すること）を用いて少なくとも部分的に、インプリメントされ得る。再び、特許請求される主題事項は、特定のメッセージ交換、通信プロトコル、フォーマット、または同様のものに限定されない。
【００３８】
[0043]３１４での矢印を用いて一般に参照されるように、いくつかの事例では、ＲＴＴ測定を推定する上のネットワーク通信プロセスは、例えば、該当する場合、モバイルデバイスの位置フィックスを更新すること、改善すること、等に関連するなどの全体また一部が繰り返され得る。示されたように、メッセージ３０２−３１２などのＦＴＭ／ＦＴＭＲメッセージの交換がより正確なレンジを生じさせる一方、しかしながら、どのＲＴＴ測定のために通信媒体を通す複数のパケットの送信がワイヤレススループットを低減させ、モバイルデバイスの電力消費を増大させ、利用可能な帯域幅に重い負担を掛ける、または同様のものになり得る。時に、例えば、ＦＴＭ／ＦＴＭＲメッセージ交換を用いて取得される１つまたは複数のＲＴＴ測定値などの、より正確なおよび／またはより動作上高価なＲＴＴ測定値に、いくつかの手法においてアクセスを制限することが望まれるおよび／または有益であり得る。いくつかの事例では、そのようなアクセスを制限することは、以下で議論するように、モバイルデバイスの特権に少なくとも部分的に、基づき得る。
【００３９】
[0044]したがって、図２Ａの処理２００を参照しに戻って、動作２０４で、モバイルデバイスから受信された１つまたは複数のメッセージ中の１つまたは複数のパラメータに少なくとも部分的に、基づいてモバイルデバイスの特権のレベルは、例えば、決定され得る。示されたように、最初に、測距サービスの特定の品質を受信するために特権のレベルは、１つの例として、通信ネットワークとモバイルデバイスの関係性および／または関連性、ワイヤレスサービスプロバイダ、現場オペレータ、雇用者、または同様なものに少なくとも部分的に、基づいて、適切なサーバ（例えば、図１のサーバ１１６、１１８、１２０、等）等によって、例えば、モバイルデバイスに割り当てられ得る。例えば、特定の雇用者は、そのオフィス、建物、敷地、または他のエリア等内で、（訪問者やゲストより）高い正確性を持つ測位をその従業員に提供することを望み得る。雇用者等は、例えば、従業員が、ＦＴＭ／ＦＴＭＲメッセージ交換を利用するＲＴＴ測定に基づくより高い品質の測距および／またはローカリゼーションサービスにアクセスすることを許可する、および／または別の例として、ＲＴＳ／ＣＴＳメッセージの交換を利用するＲＴＴ測定に基づく測距および／またはローカリゼーションサービスのような、より低いまたは低減したサービスの品質に、訪問者またはゲストを制限するような、例えば、異なる特権レベルをインプリメントし得る。異なる特権レベルに関連してインプリメントされ得る測距および／またはローカリゼーションサービスの異なる品質の特定の例は、以下でより詳細に説明されることになる。
【００４０】
[0045]同様に、ワイヤレスサービスプロバイダは、例えば、ワイヤレスサービスのより低いレベル（例えば、ｉＺａｔ（登録商標）ベーシック、等）に参加している顧客等の、他の顧客より高い正確性を持つ測位を持つ特定のサービスレベル（例えば、ｉＺａｔ（登録商標）プレミアム、等）に参加しているその顧客に報いることを、例えば、望み得る。同様に、ここで、サービスプロバイダは、例えば、サブスクリプションに依存して異なる特権のレベルを割り当て得る（例えば、そのプレミアムサービスの顧客のためにより高い特権レベルを割り当て、顧客のうちの残りのためにより低い特権レベルを割り当てる、等）。加えて、現場オペレータは、例えば、より古いラップトップ、携帯電話、等のような、モバイルデバイスの特定のモデルを発見し得、特定のオペレーティングシステムを持つモバイルデバイスは、一例として他のモバイルデバイス（例えば、より新しい携帯電話、等）と比較して、現場内でのワイヤレススループットにいくつかの手法において影響を与え得る。一例として、現場オペレータは、例えば、いくつかのモバイルデバイス（例えば、Ａｎｄｒｏｉｄ４．０、ｉＯＳ８、等が作動している携帯電話）であって他のモバイルデバイス（例えば、Ａｎｄｒｏｉｄ１．０、ｉＯＳ３、等が作動している携帯電話）でないモバイルデバイスが、例えば、ＦＴＭ／ＦＴＭＲメッセージ交換等を用いる、より高い正確性の測位をインプリメントすることを可能にするような、異なるモバイルデバイスに異なる特権レベルを割り当て得る。
【００４１】
[0046]より詳細に、インプリメンテーションでは、特権のレベルは、例えば、モバイルデバイスに割り当てられ、１つまたは複数のモバイルデバイスに関連するパラメータを用いて少なくとも部分的に、表わされ得る。ここで、例えば、特定のモバイルデバイス（例えば、ＭＡＣアドレス、モデル、等）を識別することができる、その通信および／または処理能力（例えば、オペレーティングシステム、測距能力、等）を記述することができる、そのワイヤレスサブスクリプションおよび／またはサービス（例えば、ワイヤレスサービスに関するパラメータ）を記述することができる、または同様なもののような、任意の適切なパラメータが全体または一部において、使用され得る。例証の手段として、上の例のうちの１つを使用等して、雇用者は、例えば、（例えば、「会社従業員」、等のような）その従業員のモバイルデバイスにより高い特権のレベルを割り当て、（例えば、「会社ゲスト」、等のような）より低い階層の特権のレベルを有するような他のモバイルデバイスを取り扱い得る。例えば、雇用者は、ある特権のレベルを持つ特定のモバイルデバイスのＭＡＣアドレスのような、１つまたは複数のパラメータを（例えば、電子的に、等）マップまたはリンクし得、１つの可能なインプリメンテーションを単に例証するために、モバイルデバイス特権データベースのような適切なデータベース中にそのようなマッピングまたリンクを記憶し得る。インプリメンテーションに依存して、そのようなデータベースは、例えば、モバイルデバイス、適切なサーバ、またはこれらの任意の組み合わせによってアクセス可能であり得る。
【００４２】
[0047]上の例を続けて、したがって、いくつかの事例では、モバイルデバイスは、単にいくつかの可能なインプリメンテーションを例証するために、図２Ａの動作２０２に関連する、図３のＦＴＭ要求を用いる、等のような、例えば、サーバにそのＭＡＣアドレスのような、１つまたは複数のパラメータを通信し得る。次に、ＭＡＣアドレスを受信した、サーバは、例えば、適切なデータベース（例えば、モバイルデバイス特権データベース、等）にアクセスし、通信モバイルデバイスの特権のレベルを決定し得る。例えば、サーバは、データベースに記憶されるＭＡＣアドレスに受信ＭＡＣアソレスが一致すること等によって、受信ＭＡＣアドレスが特定の従業員（例えば、「会社従業員」、等）のモバイルデバイスに属すると認識し得る。一致が見い出されると、サーバは、後にわかることになるように、例えば、ＭＡＣアドレスがある特権のレベルにマップまたはリンクされるとさらに決定し、その特権のレベルに対応する測距および／またはローカリゼーションサービスの品質を提供し得る。一致が見い出されない場合、サーバは、以下でさらに議論するように、例えば、（例えば、「会社ゲスト」等のような）より低い特権のレベルを有するように通信モバイルデバイスを取り扱い、ＲＴＴ測定に基づくより高い正確性を持つ測距および／またはローカリゼーションサービスにそのようなモバイルデバイスのアクセスを、いくつかの手法において制限し得る。再び、ＭＡＣアドレスが、例証の目的等のために、例のパラメータとして本明細書で使用され、上で議論された１つまたは複数のパラメータ等の全体または一部において、本明細書で利用され得ることに注意されたい。したがって、１つまたは複数のマッチング動作は、同様の手法等において、他の適切なパラメータについて、少なくとも部分的に、実行され得る。例えば、現場オペレータに関連するサーバは、適切なデータベースにアクセスする等によって、現場内の測距および／またはローカリゼーションサービスを要求する通信モバイルデバイスの（例えば、１つまたは複数のメッセージを介してモバイルデバイスに関するパラメータとして通信される）オペレーティングシステムの特定のバージョンをマッチングすることができ得る。
【００４３】
[0048]少なくとも１つのインプリメンテーションでは、１つまたは複数のパラメータは、例えば、そのようなモバイルデバイスによって受信されるべき測距および／またはローカリゼーションサービスの品質を持つ通信モバイルデバイス（およびその割り当てられた特権のレベル）に関する（例えば、リンクしている、マッピングしている、等）パラメータを備え得る。時に、そのようなパラメータは、例えば、モバイルデバイスの特権のレベルのより効率的および／またはより効果的な決定を容易にするまたはサポートするためにインプリメントされ、任意の適切な値（例えば、バイナリ値、等）、特徴、または同様のもの、あるいはそれらの任意の組み合わせを用いて表され得る。例証の手段として、ワイヤレスサービスプロバイダは、例えば、ワイヤレスサービスのプレミアムレベルに参加しているそのモバイルデバイスにバイナリ「１」を割り当て、ベーシックサービスに参加してるモバイルデバイスにバイナリ「０」を割り当て得る。したがって、通信モバイルデバイスは、例えば、ＦＴＭ要求３０２を用いてＲＴＴ測定に基づく測距および／またはローカリゼーションサービスのような、特定の測距サービスを要求する一方、ペイロード中の測距および／またはローカリゼーションサービスの品質を持つ通信モバイルデバイス（およびその割り当てられた特権レベル）に関する（例えば、リンクしている、マッピングしている、等）指定のパラメータを通信し得る。ここで、「１」の場合、サーバは、単なる１つの可能なインプリメンテーションを例証するために、例えば、ＦＴＭ／ＦＴＭＲメッセージ交換を用いてＲＴＴ測定を許可する、またはそのような交換を拒否し、ＲＴＳ／ＣＴＳメッセージ交換を用いてＲＴＴ測定にモバイルデバイスを限定し得る。
【００４４】
[0049]インプリメンテーションに依存して、測距および／またはローカリゼーションサービスの品質を持つ通信デバイス（およびその割り当てられた特権のレベル）に関する（例えば、リンクしている、マッピングしている、等）パラメータは、例えば、モバイルデバイスのローカルメモリ、適用可能なサーバ、適切なデータベース、等、またはそれらの任意の組み合わせ中に記憶され得る。例えば、いくつかの事例では、モバイルデバイスは、例証として、（例えば、図２Ａの動作２０２、等を用いて）測距および／またはローカリゼーションサービスを持つ通信モバイルデバイス（およびその割り当てられた特権のレベル）に関する（例えば、リンクしている、マッピングしている、等）ローカルに記憶されたパラメータを通信し、サーバは、一例として以上で議論された１つまたは複数のマッチング動作を用いて対応する特権のレベルを決定し得る。時に、モバイルデバイスは、例えば、適切なデータベース（例えば、モバイルデバイス特権データベース、等）にアクセスし、一例として（図２Ａの動作２０２、等に関連する）測距および／またはローカリゼーションサービスを支援するサーバとの通信のために、測距および／またはローカリゼーションサービスの品質を持つ、通信モバイルデバイス（およびその割り当てられた特権のレベル）に関する（例えば、リンクしている、マッピングしている、等）適用可能なパラメータを取得し得る。同様に、測距および／またはローカリゼーションサービスを持つ、通信モバイルデバイス（およびその割り当てられた特権のレベル）に関する（例えば、リンクしている、マッピングしている、等）受信パラメータに少なくとも部分的に、基づいて、サーバは、一例として上で議論されるデータベースおよび／またはマッチング動作にアクセスせずまたはアクセスせず、通信モバイルデバイスのための特権のレベルを、例えば、決定し得る。測距および／またはローカリゼーションサービスの品質を持つ、通信モバイルデバイス（およびその割り当てられた特権のレベル）に関する（例えば、リンクしている、マッピングしている、等）パラメータはまた、例えば、測距および／またはローカリゼーションサービスの品質を受信するために特定の特権のレベルを決定するように採用された任意の他の適切な情報と組み合わされて、少なくとも部分的に使用され、上で議論されたＦＴＭ／ＦＴＭＲメッセージ交換のような、適用可能なメッセージ交換の１つまたは複数のフレームを用いて通信され得る。
【００４５】
[0050]示されたように、モバイルデバイス（例えば、測距サービスを支援する測定を要求する通信モバイルデバイス、等）と、１つまたは複数のワイヤレス送信機（例えば、Ｗｉ−Ｆｉアクセスポイント、等）との間の（例えば、ＦＴＭ／ＦＴＭＲ、ＲＴＳ／ＣＴＳ、等、フレーム、等を用いて）メッセージの交換に少なくとも部分的に、基づく測距および／またはローカリゼーションサービスの品質を受信するように特定の特権のレベルを決定すると、サーバは、例えば、そのような特定のレベルに対応する測距および／またはローカリゼーションサービスの品質を決定および／または提供し得る。例えば、いくつかの事例では、一例としてより高い特権のレベルが適用可能であるまたは適切であると決定される場合、サーバは、通信モバイルデバイスが、図３に関連して上で議論されたような、１つまたは複数のより高い正確性を持つＦＴＭ／ＦＴＭＲメッセージの交換を用いたＲＴＴ測定に基づく測距および／またはローカリゼーションサービスにアクセスすることを許可し得る。いくつかの事例では、サーバは、例えば、１つまたは複数の適切な応答を介して通信モバイルデバイスにそのような決定を確認応答または確認し得る。限定ではないが例として、時に、サーバは、単なる１つの可能なインプリメンテーションを例証するために、図３のＦＴＭ  ＡＣＫフレームを用いてこれをインプリメントし得る。この例について、通信モバイルデバイスによるＦＴＭ  ＡＣＫフレーム３０４の受信は、例えば、図３に関連して上でさらに議論された時刻ｔ２およびｔ３のような、適用可能なメッセージまたはアクションフレームの到着時間および送信時間を記憶することを開始するようにモバイルデバイスを促し得る。オプションまたは代替として、モバイルデバイスの特権レベルの適切な決定を確認応答または確認するために、例えば、図３の応答メッセージ３０６が少なくとも部分的に、利用され得る。
【００４６】
[0051]いくつかの事例では、一例として、より高い正確性を持つＦＴＭ／ＦＴＭＲメッセージの交換を使用してＲＴＴ測定に基づく測距および／またはローカリゼーションサービスのような測距サービスのより高い品質が、例えば、保証されないまたは適用可能でない（例えば、モバイルデバイスが「会社ゲスト」のような「会社従業員」以外の誰かに属する）と決定される場合、サーバは、いくつかの手法において、そのような測距および／またはローカリゼーションサービスへのアクセスを制限し得る。例えば、サーバは、１つの例として、図３のＦＴＭ  ＡＣＫフレーム３０４を用いて、または別の例として、ＣＴＳメッセージフレームを用いて、あるいはＲＴＴ測定に基づいて高い正確性を持つ測距および／またはローカリゼーションサービスが利用可能でないことを示す任意の他の適切なメッセージ／フレームを用いて、通信モバイルデバイスに適切なメッセージを送信し得る。ここで、そのようなメッセージでは、サーバはまた、１つの可能な例として、モバイルデバイスが受け入れられるまたは受け入れられない、一例としてＲＴＳ／ＣＴＳメッセージ交換を使用してより低い正確性を持つＲＴＴ測定に基づいて測距および／またはローカリゼーションサービスをモバイルデバイスに提案する通信（またはリンクインジケーション）を含み得る。オプションまたは代替として、より低い階層の特権のレベルを持つモバイルデバイスについて、サーバは、一例としてＲＴＴ測定に基づくより高い正確性を持つ測距および／またはローカリゼーションサービスが利用可能でない通知またはメッセージ無しに、ＲＴＳ／ＣＴＳメッセージの交換を用いてＲＴＴ測定に基づく測距および／またはローカリゼーションサービスをインプリメントし得る。
【００４７】
[0052]いくつかのインプリメンテーションでは、一例としてより低い階層の特権のレベルを持つモバイルデバイスについて、例えば、サーバは、特定のメッセージ交換のＲＴＴ測定の頻度または周期性、または任意のそれらの組み合わせを制限し得る。例えば、時に、サーバは、ある時間期間内でＦＴＭ／ＦＴＭＲメッセージ交換のＲＴＴ測定値のある数のみ（例えば、５分時間期間内でＦＴＭ／ＦＴＭＲフレームを使用して１つのＲＴＴ測定値、等）を許可し得る。別の例では、時に、サーバは、ある時間期間内にＲＴＳ／ＣＴＳメッセージ交換のＲＴＴ測定値のある数のみ（例えば、１０秒時間期間内でＦＴＭ／ＦＴＭＲフレームを使用して１つのＲＴＴ測定値）を許可し得る。また別の例では、いくつかの事例では、５分時間期間内で、サーバは、例えば、任意の適切なシーケンスにおいてインプリメント等される、ＦＴＭ／ＦＴＭＲフレームを使用して１つのＲＴＴ測定値のみ、およびＲＴＳ／ＣＴＳメッセージ交換を使用して１０個のＲＴＴ測定値のみを許可し得る。
【００４８】
[0053]インプリメンテーションでは、特権レベルの任意の適切な組み合わせは、例えば、全体または一部分において用いられ得る。したがって、例示の方法として、ペイロード値を使用して、適用可能な場合、例えば、「ＣｏｍｐａｎｙＥｍｐｌｏｙｅｅ ＆ ＩＺａｔＰｒｅｍｉｕｍ」のような特権決定は、１．０秒間隔でＦＴＭ／ＦＴＭＲメッセージングを可能にさせ、「ＣｏｍｐａｎｙＥｍｐｌｏｙｅｅ ＆ ＩＺａｔＢａｓｉｃ」は、３０．０秒間隔でＦＴＭ／ＦＴＭＲメッセージングを可能にさせ、「ＣｏｍｐａｎｙＧｕｅｓｔ ＆ ＩＺａｔｐｒｅｍｉｕｍ」は、１．０秒間隔で（ＦＴＭ／ＦＴＭ、またはＲＴＳ／ＣＴＳメッセージングを用いて）ＲＴＴベースの１０．０メートルの正確性を可能にさせ、「ＣｏｍｐａｎｙＧｕｅｓｔ ＆ ＩＺａｔＢａｓｉｃ」は、３０．０秒間隔で（ＦＴＭ／ＦＴＭまたはＲＴＳ／ＣＴＳメッセージングを用いて）ＲＴＴベースの１０メートルの正確性を可能にさせる、または同様のものであり得る。時に、ベーシックまたはより低いレベルのサービスプランを有するモバイルデバイスについて、ＲＴＴ測定値は、より高いレベルのサービスプランを捕捉するように関連するユーザにインセンティブを与える、１つの例として、１．０分（またはそれ以上）の間の間隔を空け得る。当然ながら、これらは、特権レベルに関する、ＲＴＴ測定の頻度または周期性を限定する、等の単なる詳細にすぎず、特許請求される主題事項は、それに限定されるものではない。任意の他の適切なシーケンス、時間期間、組み合わせ、フレーム、等は、全体または一部分において本明細書に用いられる、またはさもなければ考慮され得る。
【００４９】
[0054]時に、より低い階層の特権のレベルを持つモバイルデバイスについて、例えば、測距および／またはローカリゼーションサービスの品質は、一例としてＲＴＴ測距正確性に影響を与えるために、特定のメッセージ交換（例えば、ＦＴＭ／ＦＴＭＲ、ＲＴＳ／ＣＴＳ、等、メッセージ交換、等）の１つまたは複数のフレーム中にランダムエラーを、少なくとも部分的に、入れるまたは導入することによってある程度に低減し得る。例えば、サーバは、１つの可能なインプリメンテーションを例証するために、一例として位置において数十ナノ秒または数メートルのオーダで、いくつかの例として、一例として図３の時刻ｔ１および／またはｔ４でＦＴＭ／ＦＴＭＲフレームの１つまたは複数の送信および到着時間を故意に調節および／または誤って報告し得る。いくつかの実例では、一例として、あるより低い階層のモバイルデバイスについて、サーバはまた、例えば、モバイルデバイス、特権のレベル、ワイヤレス信号、関連するワイヤレス環境、等に依存する、数メートルまでの正確性にＲＴＴ測距の品質を低減するように、時間変化または他のエラー（例えば、１つまたは複数のワイヤレス送信機の位置を報告する際のエラー、等）で測位支援データを提供し得る。これらのまたは同様の技法は一般に知られており、より詳細に本明細書で説明される必要はない。したがって、ここで、適用可能な特権のレベルに依存して、一例として位置フィックスにおける適切な意図された偏差を用いて表される、測距サービスの品質は、適切に調節されるまたは変更され得る。
【００５０】
[0055]いくつかの事例では、測距および／またはローカリゼーションサービスの品質は、通信モバイルデバイスの測距性能に少なくとも部分的に、依存し得る。例えば、モバイルデバイスが、ＲＴＳ／ＣＴＳメッセージの交換を用いて適用可能な範囲を測定する能力を有していない場合、モバイルデバイスは、適切なサーバにそのような能力を伝え得る。時に、モバイルデバイスは、例えば、単なる１つの可能なインプリメンテーションを例証するために、測距サービスを支援する測定値を取得するために要求に関連する１つ又複数のメッセージを用いてそのような能力を伝え得る。次に、サーバは、適用可能または適切な場合、ＦＴＭ／ＦＴＭＲメッセージフレームを用いて、一例として本明細書で議論される１つまたは複数の動作または技法を使用して、ＲＴＴ測定値に基づく測距および／またはローカリゼーションサービスをインプリメントし得る。同様に、通信モバイルデバイスがＦＴＭ／ＦＴＭＲメッセージフレームを交換する能力を有していない場合、例えば、サーバは、適用可能または適切な場合、ＲＴＳ／ＣＴＳメッセージ交換を用いてＲＴＴ測定値に基づく測距および／またはローカリゼーションサービスをインプリメントし得る。
【００５１】
[0056]図２Ｂは、例えば、図１のモバイルデバイス１０２などの、特定のモバイルデバイスの特権に少なくとも部分的に、基づいて１つまたは複数の動作および／または技法を容易にするまたはサポートするために、全体的にまたは部分的に実行され得る例となる処理の別のインプリメンテーションを例示するフロー図である。同様に、例えば、例の処理２０６に関連付けられる、捕捉されるまたは入力信号、出力信号、動作、結果を捕捉するまたは生み出す情報が１つまたは複数のデジタル信号を用いて表されることに注意されたい。１つまたは複数の動作が、同時にまたはある特定のシーケンスに関連して例示または説明されているが、他のシーケンスまたは同時動作が用いられ得ることも認識されるべきである。加えて、以下の説明は、ある特定の他の図に例示された特定の態様または特徴を参照しているが、１つまたは複数の動作は他の態様または特徴を用いて行われ得る。
【００５２】
[0057]例の処理２０６は、例えば、測距サービスを支援する測定値を取得するために１つまたは複数のメッセージを、モバイルデバイスで、送信することで動作２０８で開始し、１つまたは複数のメッセージは、モバイルデバイスの１つまたは複数の特徴に対応する１つまたは複数のパラメータを備える。上で議論されたように、インプリメンテーションに依存して、１つまたは複数のパラメータは、例えば、モバイルデバイスの、ＭＡＣアドレス、モデル、動作システム、測距性能、等、測距サービスのある品質を持つモバイルデバイス（およびその割り当てられた特権のレベル）に関するパラメータ、等、あるいは任意のこれらの組み合わせを備え得る。モバイルデバイスは、上で議論されたように、例えば、１つまたは複数の近接ワイヤレス送信機（例えば、図１の基地局トランシーバ１０８、ローカルトランシーバ１１２、等）を使用して適切なサーバに１つまたは複数のパラメータを備える１つまたは複数のメッセージを送信し、適切なまたは適用可能なワイヤレス通信標準および／またはプロトコルを用いてＲＴＴ測定値に基づく（例えば、図３のＦＴＭ要求３０２、等を用いて）測距および／またはローカリゼーションサービスへのアクセスを要求し得る。ここで、適切な場合、モバイルデバイスおよび適切なサーバは、一例として図３の例のメッセージ交換に類似する手法において、一例として適用可能なワイヤレス送信機にＲＴＴを計算または推定することを容易にするまたはサポートするために、例えば、多数の適用可能なフレームを交換し、これらのフレーム／確認応答（ＡＣＫ）に応答し得る。いくつかの事例では、サーバは、本願請求項に記載される主題事項がそのように限定されないが、うえで議論されたおよび／または同様の手法のような、要求モバイルデバイスに関して特権のレベルを、少なくとも部分的に、決定するように、１つまたは複数の送信されたパラメータを使用し得る。例えば、時に、特権のレベルは、適切であれば、近接ワイヤレス送信機によってまたは近接ワイヤレス送信機で、および／または適用可能なバックエンドサーバで、少なくとも部分的に、決定され、それは、例えば、適用可能な特権のレベルおよび／またはサービスプランを決定し、これらをワイヤレス送信機に通知し得る。
【００５３】
[0058]したがって、動作２１０に関連して、モバイルデバイスのための決定された特権のレベルを示すメッセージは、例えば、モバイルデバイスの１つまたは複数の特徴に対応する１つまたは複数のパラメータに少なくとも部分的に、基づいて受信され得る。そのようなメッセージを受信すると、モバイルデバイスは、例えば、決定された（および通信された）特権のレベルに対応する測距および／またはローカリゼーションサービスの品質をインプリメントし得る。例えば、いくつかの事例では、一例としてより高い特権のレベルが適用可能または適切であるとメッセージが示す場合、モバイルデバイスは、図３に関連して上で議論されたような、１つまたは複数のより高い正確性を持つＦＴＭ／ＦＴＭＲメッセージの交換を用いたＲＴＴ測定に基づく測距および／またはローカリゼーションサービスにアクセスし得る。この例について、モバイルデバイスによるこのようなメッセージの受信は、例えば、図３に関連して上でさらに議論された時刻ｔ２およびｔ３のような、適用可能なメッセージまたはアクションフレームの到着時間および送信時間を記憶することを開始するようにモバイルデバイスを促し得る。
【００５４】
[0059]いくつかの事例では、一例としてより高い正確性を持つＦＴＭ／ＦＴＭＲフレームの交換を使用してＲＴＴ測定に基づく測距および／またはローカリゼーションサービスのような測距サービスのより高い品質が、例えば、保証されないまたは適用可能でない（例えば、モバイルデバイスが「会社ゲスト」のような「会社従業員」以外の誰かに属する）とメッセージが示す場合、より高い正確性を持つ測距および／またはローカリゼーションサービスへのモバイルデバイスによるアクセスは、一例としていくつかの手法において（例えば、特定のメッセージ交換のＲＴＴ測定、等の頻度、周期性、等を制限することにより）、制限され得る。時に、より低い階層の特権のレベルを持つモバイルデバイスについて、例えば、測距および／またはローカリゼーションサービスの品質は、さらに示されたように、一例としてＲＴＴ測距正確性に影響を与えるために、特定のメッセージ交換（例えば、ＦＴＭ／ＦＴＭＲ、ＲＴＳ／ＣＴＳ、等、メッセージ交換、等）の１つまたは複数のフレーム中にランダムエラーを、少なくとも部分的に、入れるまたは導入することによってある程度に低減し得る。同様に、ここで、測距および／またはローカリゼーションサービスはまた、通信モバイルデバイスの測距能力に少なくとも部分的に、依存し、本明細書で議論された１つまたは複数の動作または技法を用いて、全体または部分的にインプリメントされ得る。
【００５５】
[0060]図４は、モバイルデバイスに少なくとも部分的に、基づいて測距および／またはローカリゼーションサービスのための１つまたは複数の動作および／または技法を容易にするまたはサポートするために、少なくとも部分的に使用され得るモバイルデバイスに関連付けられた、例となるコンピューティング環境の実装の概念図である。例となるコンピューティング環境は、例えば、図１のモバイルデバイス１０２の１つまたは複数の特徴または態様を含みうるモバイルデバイス４００を備え得るが、特許請求される主題事項は、それに限定されるものではない。例えば、いくつかの事例では、モバイルデバイス４００は、適切な無線通信ネットワーク上でアンテナ４０６を介してなどの、概して４０４において参照される、無線信号を送信または受信することが可能な無線トランシーバ４０２を備え得る。ワイヤレストランシーバ４０２は、例えば、図１および３に関して説明される１つまたは複数の通信などの１つまたは複数の適当な通信を送るまたは受信することが可能であり得る。無線トランシーバ４０２は、例えば、ワイヤレストランシーババスインターフェース４１０を介してバス４０８に結合または接続されうる。あるインプリメンテーションに依存して、時に、ワイヤレストランシーババスインターフェース４１０は、例えば、無線トランシーバ４０２と少なくとも部分的に一体化されうる。いくつかのインプリメンテーションは、ほんの数例を挙げると、ワイヤレスローカエリアネットワーク（ＷＬＡＮ）またはＷｉＦｉ、符号分割多元接続（ＣＤＭＡ）、広帯域ＣＤＭＡ（Ｗ−ＣＤＭＡ（登録商標））、ロングタームエボリューション（ＬＴＥ（登録商標））、Ｂｌｕｅｔｏｏｔｈ（登録商標）などの対応する複数の無線通信規格に従って、信号を送信または受信することを可能にするように、複数の無線トランシーバ４０２またはアンテナ４０６を含み得る。
【００５６】
[0061]あるインプリメンテーションでは、モバイルデバイス４００は、例えば、ＳＰＳまたは同様のアンテナ４１６などを介して、１つまたは複数のＳＰＳまたは他の適切な無線信号４１４を受信または捕捉することが可能な、ＳＰＳまたは同様の受信機４１２を備えうる。ＳＰＳ受信機４１２は、モバイルデバイス４００のロケーションを決定するために、１つまたは複数の捕捉されたＳＰＳ信号４１４を、全体的または部分的に処理し得る。いくつかの事例では、１つまたは複数の汎用アプリケーションプロセッサ４１８（以後、「プロセッサ」と称する）、メモリ４２０、（複数を含む）デジタルシグナルプロセッサ（ＤＳＰ）４２２、または図示されていない同様の専用デバイスまたはプロセッサは、全体的または部分的に、捕捉されたＳＰＳ信号４１４を処理する、例えば、ＳＰＳ受信機４１２と連携して、モバイルデバイス４００のロケーションを計算する、または同様のことのために利用され得る。例えば、モバイルデバイス特権に少なくとも部分的に、基づく測距および／またはローカリゼーションサービスのための技法などに関連して、１つまたは複数の測位動作をインプリメントするためのＳＰＳまたは他の信号の記憶は、メモリ４２０、適切なレジスタまたはバッファ（図示されない）において、少なくとも部分的に実行され得る。図示されないが、少なくとも１つの実装において、１つまたは複数のプロセッサ４１８、メモリ４２０、ＤＳＰ４２０、または同様の専用デバイスまたはプロセッサは、測距サービスを支援する測定値を取得するためにモバイルデバイス４００から１つまたは複数のメッセージを受信すること、１つまたは複数のメッセージは、モバイルデバイス４００の１つまたは複数の特徴に対応する１つまたは複数のパラメータを備える、と、モバイルデバイス４００から受信した１つまたは複数のメッセージ中の１つまたは複数のパラメータに少なくとも部分的に、基づいてモバイルデバイス４００の特権のレベルを決定することとを行うことが可能な１つまたは複数の処理モジュールを備え得ることが認識されるべきである。
【００５７】
[0062]１つまたは複数の処理モジュールのすべてまたは一部が、ハードウェア、ファームウェア、ソフトウェア、またはこれらの任意の組み合わせを使用して、またはそうでなければこれらを含んで、インプリメントされ得ることに留意されたい。処理モジュールは、情報計算技法または処理の少なくとも一部分を行うことが可能な１つまたは複数の回路を表し得る。例として、限定はされないが、プロセッサ４１８またはＤＳＰ４２２は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、または同様のもの、あるいはそれらの任意の組み合わせを含み得る。そのため、時には、プロセッサ４１８またはＤＳＰ４２２、あるいはそれらの任意の組み合わせは、少なくとも部分的に、図２の動作２０２をインプリメントするなどのために、測距サービスを支援する測定値を取得するためにモバイルデバイス４００から１つまたは複数のメッセージを受信するための手段を備えるか、またはそれを表し得、１つまたは複数のメッセージは、モバイルデバイス４００の１つまたは複数の特徴に対応する１つまたは複数のパラメータを備える。加えて、少なくとも１つの実装では、プロセッサ４１８またはＤＳＰ４２２は、例えば、少なくとも部分的に、図２の動作２０４を実装するなどのために、モバイルデバイス４００から受信した１つまたは複数のメッセージ中の１つまたは複数のパラメータに少なくとも部分的に、基づいてモバイルデバイス４００の特権のレベルを決定するための手段を表し得るか、またはそれを備え得る。
【００５８】
[0063]例示されるように、ＤＰＳ４２２は、バス４０８を介して、プロセッサ４１８およびメモリ４２０に結合または接続され得る。示されていないが、いくつかの事例では、バス４０８は、ＤＳＰ４２２、プロセッサ４１８、メモリ４２０、または同様のものなどの、モバイルデバイス４００の１つまたは複数の適用可能なコンポーネントと一体化されうる１つまたは複数のバスインターフェースを備え得る。様々な実施形態では、本明細書で説明された１つまたは複数の動作また機能は、ほんの数例を挙げると、ＲＡＭ、ＲＯＭ、ＦＡＬＳＨ、ディスクドライブなどの、コンピュータ可読記憶媒体上などで、メモリ４２０に記憶された１つまたは複数の機械可読命令の実行に応答して実行され得る。命令は、例えば、プロセッサ４１８、図示されていない１つまたは複数の専用プロセッサ、ＤＳＰ４２２、または同様のものを介して実行可能であり得る。メモリ４２０は、本明細書で説明された動作または機能を実行するために、プロセッサ４１８、ＤＳＰ４２２、または同様のものによって実行可能でありうるソフトウェアコード（例えば、プログラミングコード、命令など）を記憶しうる、非一時的なプロセッサ可読メモリ、コンピュータ可読メモリなどを備え得る。
【００５９】
[0064]モバイルデバイス４００は、ユーザインターフェース４２４を備えることができ、これは、ほんの数例を挙げると、例えば、スピーカ、マイクロフォン、ディスプレイデバイス、振動デバイス、キーボード、タッチスクリーンなどの、いくつかのデバイスの任意のものを含み得る。少なくとも１つのインプリメンテーションでは、ユーザインターフェース４２４は、ユーザが、モバイルデバイス４００上でホスト（ｈｏｓｔｅｄ）される１つまたは複数のアプリケーションとインタラクトすることを可能にしうる。例えば、ユーザインターフェース４２４の１つまたは複数のデバイスは、ユーザからの入力または動作（ａｃｔｉｏｎ）に応答して、ＤＳＰ４２２、プロセッサ４１８などによってさらに処理されるアナログまたはデジタル信号をメモリ４２０上に記憶し得る。同様に、モバイルデバイス４００上でホストされる１つまたは複数のアプリケーションは、ユーザに出力信号を提示するために、メモリ４２０にアナログまたはデジタル信号を記憶し得る。いくつかのインプリメンテーションでは、モバイルデバイス４００は、オプションとして、例えば、専用スピーカ、マイクロフォン、デジタル−アナログ回路、アナログ−デジタル回路、増幅器、利得制御、または同様のものを備える専用オーディオ入力／出力（Ｉ／Ｏ）デバイス４２６を含み得る。しかしながら、これはどのようにオーディオＩ／Ｏデバイス４２６がインプリメントされうるかの単なる例にすぎず、特許請求される主題事項は、この点において限定されないことが理解されるべきである。見られるように、モバイルデバイス４００は、キーボード、タッチスクリーン、または同様のものに触れることまたはこれらに適用される同様の圧力に反応する１つまたは複数のタッチセンサ４２８を備え得る。
【００６０】
[0065]あるインプリメンテーションでは、モバイルデバイス４００は、例えば、静止画像または動画像、あるいは同様のものをキャプチャするなどのために、専用またはそうでないカメラ４４０を備え得る。カメラ４４０は、ほんの数例を挙げると、例えば、カメラセンサまたは同様の撮像デバイス（例えば、電荷結合デバイス、相補形金属酸化膜半導体（ＣＭＯＳ）型撮像装置など）、レンズ、アナログ−デジタル回路構成、フレームバッファなどを備え得る。いくつかの事例では、１つまたは複数のキャプチャされた画像を表す信号の追加の処理、調整、符号化、または圧縮が、例えば、プロセッサ４１８、ＤＳＰ  ４２２、または同様のものにおいて、少なくとも部分的に実行され得る。オプションまたは代替として、専用またはそうでないビデオプロセッサ４３２は、１つまたは複数のキャプチャされた画像を表す信号の調整、符号化、圧縮、または操作を実行し得る。さらに、ビデオプロセッサ４３２は、例えば、モバイルデバイス４００のディスプレイ（図示せず）上での提示のために、１つまたは複数の記憶された画像を復号または解凍（ｄｅｃｏｍｐｒｅｓｓ）し得る。
【００６１】
[0066]モバイルデバイス４００は、例えば、１つまたは複数の慣性センサ、周囲環境センサ（ambient environment sensors）、または同様のものなどの、バス４０８に結合または接続された１つまたは複数のセンサ４３４を備え得る。センサ４４４の慣性センサは、ほんの数例を例示すると、例えば、（例えば、１次元、２次元、または３次元などにおけるモバイルデバイス４００の加速度に集合的に反応する）１つまたは複数の加速度計、（例えば、１つまたは複数のコンパスまたは同様のアプリケーションなどをサポートするための）ジャイロスコープまたは磁気計などを備え得る。モバイルデバイス４００の周囲環境センサは、ほんの数例を挙げると、例えば、１つまたは複数の気圧センサ、温度センサ、周囲光検出器、カメラセンサ、マイクロフォンなどを備え得る。センサ４３４は、測位またはナビゲーションの動作、ワイヤレス通信、無線ヒートマップ学習（radio heat map learning）、ビデオゲーミング、または同様のものに向けられた１つまたは複数のアプリケーションのサポートなどにおいて、メモリ４２０に記憶され得、ＤＳＰ４２２、プロセッサ４１８などによって処理され得るアナログまたはデジタル信号を生成し得る。
【００６２】
[0067]特定の実装では、モバイルデバイス４００は、例えば、ワイヤレストランシーバ４０２、ＳＰＳ受信機４１２、または同様のものを介して受信またはダウンコンバートされる信号のベースバンド処理を行うことが可能な、専用の、またはそうではない、モデムプロセッサ４３６を備え得る。同様に、モデムプロセッサ４３６は、例えば、無線トランシーバ４０２を介した送信のためにアップコンバートされる信号のベースバンド処理を実行し得る。代替のインプリメンテーションでは、専用モデムプロセッサを有する代わりに、ベースバンド処理は、プロセッサ４１８、ＤＰＳ４２２、または同様のものによって、少なくとも部分的に実行され得る。加えて、いくつかの事例では、インターフェース４３８は、個別のコンポーネントとして例示されているが、例えば、バス４０８またはＳＰＳ受信機４１２などの、モバイルデバイス４００の１つまたは複数の適用可能なコンポーネントと、全体的または部分的に一体化され得る。オプションまたは代替として、ＳＰＳ受信機４１２は、バス４０８に直接に結合または接続され得る。しかしながら、これらはベースバンド処理を実行しうるコンポーネントまたは構造の単なる例にすぎず、特許請求される主題事項は、この点に関して限定されないことが理解されるべきである。
【００６３】
[0068]図５は、例えば、図１―３に関連して上述されるような、モバイルデバイス特権に少なくとも部分的に、基づく測距および／またはローカリゼーションサービスのための１つまたは複数の動作および／または技法を部分的または実質的に実装またはサポートすることが可能な１つまたは複数のサーバまたは他のデバイスに関連付けられるか、またはそれらを含み得る例となるコンピューティング環境またはシステム５００の実装を例示する概念図である。コンピューティング環境５００は、例えば、第１のデバイス５０２、第２のデバイス５０４、第３のデバイス５０６、等を含み、これらは、通信ネットワーク５０８を介して動作的に結合され得る。いくつかの事例では、第１のデバイス５０２は、例えば、既知のワイヤレス送信機、無線ヒートマップ、基地局アルマナック、電子デジタルマップ、ワイヤレス送信機のデータベース、バイアス推定値、信号測定値、または同様のものの、アイデンティティ、ロケーションなどのような測位支援パラメータを提供することが可能なサーバを備え得る。例えば、第１のデバイス５０２はまた、要求または同様のもの応じて、モバイルデバイスのロケーションの粗いまたは大まかな推定値に少なくとも部分的に基づいて、電子デジタルマップをモバイルデバイスに提供することが可能なサーバを備え得る。第１のデバイス５０２はまた、モバイルデバイスのロケーションに関する任意の他の適当な測位支援パラメータ（例えば、電子デジタルマップ、無線ヒートマップなど）を提供することが可能なサーバを備え得る。第２のデバイス５０４または第３のデバイス５０６は、例えば、モバイルデバイスを備え得るが、本願請求項に記載される主題事項はそのように限定されない。例えば、いくつかの事例では、可能性のある別の実装の例を例示すると、第２のデバイス５０４は、第１のデバイス５０２に機能的または構造的に類似するサーバを備え得る。加えて、通信ネットワーク５０８は、例えば、セルラ基地局、アクセスポイント、フェムトセル、または同様のものなどの１つまたは複数のワイヤレス送信機を備え得る。当然ながら、本願請求項に記載される主題事項は、これらの点に関して範囲を限定されるものではない。
【００６４】
[0069]第１のデバイス５０２、第２のデバイス５０４、または第３のデバイス５０６は、通信ネットワーク５０８上のパラメータおよび／または情報を交換することが可能であり得る任意のデバイス、機器（ａｐｐｌｉａｎｃｅ）、プラットフォーム、または機械を表し得る。限定ではなく例として、第１のデバイス５０２、第２のデバイス５０４、または第３のデバイス５０６のいずれも、例えば、デスクトップコンピュータ、ラップトップコンピュータ、ワークステーション、サーバデバイス、または同様のもののような１つまたは複数のコンピューティングデバイスあるいはプラットフォーム；例えば、携帯情報端末、モバイル通信デバイス、または同様のもののような１つまたは複数のパーソナルコンピューティングまたは通信デバイスあるいは器具；例えば、データベースあるいは情報記憶サービスプロバイダ／システム、ネットワークサービスプロバイダ／システム、インターネットあるいはインターネットサービスプロバイダ／システム、携帯あるいは検索エンジンサービスプロバイダ／システム、ワイヤレス通信サービスプロバイダ／システムのようなコンピューティングシステムまたは関連サービスプロバイダ能力；またはこれらの任意の組合せ、を含み得る。任意の第１のデバイス５０２、第２のデバイス５０４、および第３のデバイス５０６は、それぞれ、本明細書で説明された例となるインプリメンテーションに従って、モバイルデバイス、無線送信機または受信機、サーバなどのうちの１つまたは複数を備え得る。
【００６５】
[0070]あるインプリメンテーションでは、通信ネットワーク５０８は、第１のデバイス５０２、第２のデバイス５０４、または第３のデバイス５０６のうちの少なくとも２つの間の情報の交換をサポートすることが可能な１つまたは複数の通信リンク、プロセス、またはリソースを表し得る。限定ではなく例として、通信ネットワーク５０８は、無線または有線の通信リンク、電話または電気通信システム、情報バスまたはチャネル、光ファイバ、地上または宇宙ビークルリソース、ローカルエリアネットワーク、広域ネットワーク、イントラネット、インターネット、ルータまたはスイッチ、または同様のもの、またはこれらの任意の組み合わせを含み得る。例えば、第３のデバイス５０６によって部分的におおい隠されている点線のボックスを介して例示されるように、通信ネットワーク５０８に動作可能に結合された追加の同様のデバイスが存在し得る。本明細書で説明されるような、プロセスまたは方法、またはコンピューティング環境５００において示される様々なデバイスまたはネットワークのすべてまたは一部は、ハードウェア、ファームウェア、ソフトウェア、またはこれらの任意の組み合わせを使用して、またはさもなければ、これらを含んでインプリメントされうることも認識される。
【００６６】
[0071]限定ではなく例として、第２のデバイス５０４は、バス５１４を介してメモリ５１２に動作可能に結合されうる少なくとも１つの処理ユニット５１０を含み得る。処理ユニット５１０は、適切なコンピューティングプロシージャまたはプロセスの少なくとも一部を実行することが可能な１つまたは複数の回路を表し得る。例えば、処理ユニット５１０は、１つまたは複数のプロセッサ、コントローラ、マイクロプロセッサ、マイクロコントローラ、特定用途向け集積回路、デジタルシグナルプロセッサ、プログラマブル論理デバイス、フィールドプログラマブルゲートアレイ、または同様のもの、あるいはこれらの任意の組み合わせを含み得る。図示されていないが、第２のデバイス５０４は、例えば、ＳＰＳ、１つまたは複数のセルラ基地局、Ｗｉ−Ｆｉアクセスポイントなどからの１つまたは複数の受信または捕捉されたワイヤレス信号に少なくとも部分的に基づいて、関心エリアなどにおける適切なモバイルデバイスの位置フィックスを開始し得るロケーション追跡ユニットを含み得る。いくつかのインプリメンテーションにおいて、ロケーション追跡ユニットは、例えば、処理ユニット５１０のような、適した処理ユニットと少なくとも部分的に統合されうるが、特許請求される主題はそのように限定されていない。ある特定のサーバベースのまたはサーバによってサポートされる実装では、処理ユニット５１０は、例えば、少なくとも部分的に図２の動作２０２、および／または２０４を容易するにまたはサポートするなどのために、測距サービスを支援する測定値を取得するためにモバイルデバイス４００から１つまたは複数のメッセージを受信するための手段を備え、１つまたは複数のメッセージは、モバイルデバイス４００の１つまたは複数の特徴に対応する１つまたは複数のパラメータを備えるを備える。いくつかの事例では、処理ユニット５１０は、例えば、少なくとも部分的に図２の動作２０２、および／または２０４を容易するにまたはサポートするなどのために、モバイルデバイスから受信した１つまたは複数のメッセージ中の１つまたは複数のパラメータに少なくとも部分的に、基づいてモバイルデバイスの特権のレベルを決定するための手段を備え得る。
【００６７】
[0072]メモリ５１２は、任意の情報記憶メカニズムまたは機器を表し得る。メモリ４１２は、例えば、プライマリメモリ４１６およびセカンダリメモリ４１８を含み得る。プライマリメモリ５１６は、例えば、ランダムアクセスメモリ、読み取り専用メモリなどを含み得る。この例では処理ユニット５１０から分離して図示されているが、プライマリメモリ５１６の全てまたは一部は、処理ユニット５１０内で提供されるか、またはそうでなければ、それとコロケート／結合され得ることが理解されるべきである。セカンダリメモリ５１８は、例えば、プライマリメモリと同じまたは類似するタイプのメモリ、または、例えば、ディスクドライブ、光ディスクドライブ、テープドライブ、ソリッドモーションステートメモリドライブ（solid motion state memory drive）などようなの１つまたは複数の情報記憶デバイスまたはシステムを含み得る。ある特定の実装では、セカンダリメモリ５１８は、コンピュータ可読媒体４２０を受け入れるように動作可能であり得るか、またはそうでなければ、結合されるように構成可能である。コンピュータ可読媒体５２０は、例えば、コンピューティング環境５００内のデバイスの１つまたは複数について、アクセス可能な情報、コード、または命令を搬送または作成し得る任意の非一時的記憶媒体を含み得る。コンピュータ可読媒体５２０はまた、機会可読媒体、記憶媒体などとも呼ばれ得る。
【００６８】
[0073]第２のデバイス５０４は、例えば、少なくとも通信ネットワーク４０８への第２のデバイス５０４の動作可能な結合を提供し得る、またはそうでなければ、サポートし得る通信インタフェース５２２を含み得る。限定されないが、例として、通信インタフェース５２２は、ネットワークインタフェースデバイスまたはカード、モデム、ルータ、スイッチ、トランシーバなどを含み得る。第２のデバイス５０４はまた、例えば、入力／出力デバイス５２４を含み得る。入力／出力デバイス５２４は、人間または機械の入力を受け付ける、またはそうでなければ、導入するように構成可能であり得る１つまたは複数のデバイスまたは特徴、あるいは、人間または機械の出力を配信する、またはそうでなければ、提供することが可能な１つまたは複数のデバイスまたは特徴を表し得る。限定されないが、例として、入力／出力デバイス５２４は、動作可能に構成されたディスプレイ、スピーカ、キーボード、マウス、トラックボール、タッチスクリーン、情報ポート、または同様のものを含み得る。
【００６９】
[0074]本明細書に説明される方法は、特定の例に従ったアプリケーションに依存して様々な手段によってインプリメントされ得る。例えば、このような方法は、ハードウェア、ファームウェア、ソフトウェア、またはこれらの組み合わせにおいてインプリメントされ得る。ハードウェアの実装では、例えば、処理ユニットは、１つまたは複数の特定用途向け集積回路（「ＡＳＩＣ」）、デジタルシグナルプロセッサ（「ＤＳＰ」）、デジタルシグナル処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書に説明された機能を行うように設計された他のデバイスユニット、またはこれらの組み合わせ内にインプリメントされ得る。
【００７０】
[0075]アルゴリズム的記述および／または象徴的表現は、作業の要旨を他の当業者に伝達するための、信号処理および／または関連技術における当業者によって使用される技法の例である。アルゴリズムは、ここでは、また一般的に、所望の結果に至る、首尾一貫した動作のシーケンスおよび／または類似した信号処理である。このコンテキストにおいて、動作および／または処理は、物理量の物理的な操作を含む。通常、必ずではないが、このような量は、記憶され、転送され、組み合わせられ、比較され、処理されるか、またはそうでなければ、信号測定値、テキスト、イメージ、ビデオ、オーディオなどのようなコンテンツの様々な形態を表す電子信号および／または状態として操作されることが可能な、電子および／または磁気信号および／または状態の形態を取り得る。それは、時には、主に公共の使用の理由から、ビット、値、エレメント、シンボル、文字、用語、数字、数詞、測定値、メッセージ、パラメータ、フレーム、パケット、コンテンツ、および／または同様のもののような、このような物理信号および／または物理状態を指すのに便利であると証明されている。しかしながら、これらのおよび／または類似する用語の全てが、適切な物理的量または表示に関連付けられるべきであり、単なる便利なラベルにすぎないことが理解されるべきである。別段の記載がない限り、先の考察から明らかなように、本明細書全体を通じて、「処理すること」、「計算すること」、「算出すること」、「決定すること」、「確立すること」、「取得すること」、「取得すること」、「識別すること」、「選択すること」、「生成すること」などの用語および／または同様のものを用いた考察が、特殊目的コンピュータおよび／または同様の特殊目的電子コンピューティングデバイス、および／またはネットワークデバイスなどの特定の装置のアクションまたは処理を指し得ることが認識される。従って、本明細書のコンテキストでは、特殊目的コンピュータおよび／または類似する特殊目的コンピューティングおよび／またはネットワークデバイスは、通常、メモリ内の物理的な電子および／または磁気量、レジスタ、および／または他の記憶デバイス、送信デバイス、および／または特殊目的コンピュータおよび／または類似する特殊目的コンピューティングおよび／またはネットワークデバイスのディスプレイデバイスとして表される、信号および／または状態を、処理、操作、および／または変換することが可能である。この特定の特許出願のコンテキストでは、記載されるように、「特定の装置」という用語は、一旦、それがプログラムソフトウェアからの命令に従って特定の機能を行うためにプログラムされると、多用途コンピュータなどの多用途コンピューティングおよび／またはネットワークデバイスを含み得る。
【００７１】
[0076]いくつかの状況において、例えば、バイナリ１からバイナリ０へと、あるいは逆もまた同様に、状態が変化するなどのメモリデバイスの動作は、物理変換などの変換を備え得る。同様に、ビット、値、要素、シンボル、文字、用語、数字、数詞、測定値、メッセージ、パラメータ、フレーム、パケット、コンテンツ、および／または同様のものを記憶するためのメモリデバイスの動作は、物理変換を備え得る。メモリデバイスの特定のタイプとともに、このような物理変換は、異なる状態またはものである物品の物理変換を有し得る。例えば、限定はされないが、いくつかのタイプのメモリデバイスについて、状態の変化は、チャージの蓄積および／または記憶、あるいは記憶されたチャージのリリースを含み得る。同様に、他のメモリデバイスでは、状態の変化は、磁気的な方向付けの変換および／または物理的な変化などの物理的な変化、および／または結晶構造から非結晶構造へ、あるいは逆もまた同様になどの分子構造の変換を備え得る。さらに他のメモリデバイスでは、物理状態における変化は、重ね合わせ、巻き込み、および／または同様のもののような、量子力学的現象を含み得、それは、例えば、量子力学的ビット（量子ビット）を含み得る。前述のものは、メモリデバイスにおけるバイナリ１からバイナリ０への、あるいはその逆の、状態の変化は、物理変換などの変換を備え得る、全ての例の包括的なリストであることが意図される。さらに、前述のものは、説明のための例であることが意図される。
【００７２】
[0077]本明細書に説明されるワイヤレス通信技法は、ワイヤレス広域ネットワーク（「ＷＷＡＮ」）、ワイヤレスローカルエリアネットワーク（「ＷＬＡＮ」）、ワイヤレスパーソナルエリアネットワーク（ＷＰＡＮ）などのような様々なワイヤレス通信ネットワークと接続し得る。「ネットワーク」および「システム」という用語は、本明細書では交換して使用可能であり得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数多元接続（「ＯＦＤＭＡ」）ネットワーク、シングルキャリア周波数分割多元接続（「ＳＣ−ＦＤＭＡ」）ネットワーク、または上記ネットワークの任意の組み合せなどであり得る。ＣＤＭＡネットワークは、無線技法のほんの数例を挙げると、ｃｄｍａ２０００、広帯域ＣＤＭＡ（「Ｗ−ＣＤＭＡ」）のような、１つまたは複数の無線アクセス技術（「ＲＡＴ」などを実装し得る。ここで、ｃｄｍａ２０００は、ＩＳ−９５、ＩＳ−２０００、およびＩＳ−８５６規格によってインプリメントされる技術を含み得る。ＴＤＭＡネットワークは、モバイル通信のためのグローバルシステム（「ＧＳＭ（登録商標）」）、デジタルアドバンスドモバイル電話システム（「Ｄ−ＡＭＰＳ」）、または他の何らかのＲＡＴをインプリメントし得る。ＧＳＭおよびＷ−ＣＤＭＡは、「第３世代パートナーシッププロジェクト（「３ＧＰＰ（登録商標）」）という名称のコンソーシアムによる文書に説明されている。ｃｄｍａ２０００は、「第３世代パートナーシッププロジェクト２（「３ＧＰＰ２」）」という名称のコンソーシアムによる文書に説明されている。３ＧＰＰおよび３ＧＰＰ２の文書は公に入手可能である。４Ｇロングタームエボリューション（「ＬＴＥ」）通信ネットワークは、また、ある態様において、本願請求項に記載の主題にしたがってインプリメントされ得る。ＷＬＡＮは、ＩＥＥＥ８０２．１１ｘネットワークを備え得、ＷＰＡＮは、例えば、Ｂｌｕｅｔｏｏｔｈネットワーク、ＩＥＥＥ８０２．１５ｘを備え得る。本明細書に説明されるワイヤレス通信のインプリメンテーションは、また、ＷＷＡＮ、ＷＬＡＮ、またはＷＰＡＮの任意の組み合せと関連して使用され得る。
【００７３】
[0078]別の態様において、先に記載されたように、ワイヤレス送信機またはアクセスポイントは、フェムトセルを備え得、セルラ電話サービスを職場または自宅に拡張するために利用される。このようなインプリメンテーションにおいて、１つまたは複数のモバイルデバイスは、例えば、符号分割多元接続（ＣＤＭＡ）セルラ通信プロトコルを介してフェムトセルと通信し得、フェムトセルは、インターネットなどの別のブロードバンドネットワークを経由して、より大きいセルラ電気通信ネットワークにモバイルデバイスアクセスを提供し得る。
【００７４】
[0079]明細書に説明される技法は、いくつかのＧＮＳＳ、および／またはＧＮＳＳの組み合わせのいずれのものも含むＳＰＳとともに使用され得る。  さらに、そのような技法は、「疑似衛星（ｐｓｅｕｄｏｌｉｔｅｓ）」の役割を果たす地上波送信機、またはＳＶとそのような地上波送信機との組み合わせを利用する測位システムと使用され得る。地上波送信機は、例えば、ＰＮコードまたは他のレンジングコード（例えば、ＧＰＳまたはＣＤＭＡセルラ信号に類似する）を送信する地上の送信機を含み得る。そのような送信機は、遠隔受信機による識別を許可するために一意的なＰＮコードが割り当てられ得る。そのような送信機は、遠隔受信機による識別を可能にするために一意的なＰＮコードが割り当てられ得る。地上送信機は、例えば、トンネル、鉱山、建物、都市ビルの谷間または他の囲まれたエリア内などの、軌道を回るＳＶからのＳＰＳ信号が利用できないことがある状況においてＳＰＳを補強するのに有用であり得る。疑似衛星の別のインプリメンテーションは、無線ビーコンとして知られている。「ＳＶ」という用語は、本明細書で使用される場合、疑似衛星、疑似衛星の同等物、および場合によると他のものとしての役割を果たす地上波送信機を含むことが意図される。「ＳＰＳ信号」および／または「ＳＶ信号」という用語は、本明細書で使用される場合、地上波送信機からのＳＰＳまたは同様の信号を含む、疑似衛星または疑似衛星の同等物としての役割を果たす地上波送信機を含むことが意図される。
【００７５】
[0080]同様に、このコンテキストでは、「結合される」、「接続される」という用語、および／または類似する用語が一般に使用されている。これらの用語が同義であるとは意図されていないことが理解されるべきである。むしろ、「接続される」は、一般に、２つ以上のコンポーネントが、例えば直接物理的に電子的接続を含んでいることを示すために使用され、一方、「結合される」は、一般に、２つ以上のコンポーネントが、潜在的に直接物理的に電子的接続を含んでいることを意味するために使用されるが、「結合される」もまた、一般に、２つ以上のコンポーネントが必ずしも直接接続ではないことも意味するために使用されるが、それにも関わらず、共同および／または相互作用することができることを意味する。結合されるという用語もまた、一般に、例えば、適切なコンテキストでは、間接的に接続されることを意味することが理解される。
【００７６】
[0081]本明細書で使用される場合、「および」、「または」、「および／または」、および／または類似する用語は、このような用語が使用される特定のコンテキストに少なくとも部分的に依存することが予期される、様々な意味を含む。通常、「または」は、Ａ、Ｂ、またはＣなどのリストを関連付けるように使用される場合、本明細書で包括的な感覚で使用される、Ａ、Ｂ、およびＣ、と同様に、本明細書で排他的な感覚で使用される、Ａ、Ｂ、またはＣ、を意味することが意図される。加えて、「１つまたは複数の」および／または類似する用語は、単数形では、任意の特徴、構造、および／または特性を説明するために使用される、および／または、複数形を説明するためも使用される、および／または、特徴、構造、および／または特性のいくつかの他の組み合わせを説明するためにも使用され得る。同様に、「〜に基づく」という用語および／または同様の用語は、ファクタの包括的セットを伝えることを必ずしも意図するものではないが、必ずしも強調して説明されない追加のファクタの存在が理解される。当然ながら、前述のものの全てについて、説明および／または使用の特定のコンテキストが、描かれる推論に関する便利な指標を提供する。下記の説明は、単に、１つまたは複数の例示となる例および本願請求項に記載される主題事項が、これら１つまたは複数の例に限定されるものではないが、さらに、説明および／または使用の特定のコンテキストが、描かれる推論に関して便利な指標を提供することに留意されたい。
【００７７】
[0082]このコンテキストでは、ネットワークデバイスという用語は、ネットワークを介しておよび／またはネットワークの一部として、通信することが可能な任意のデバイスを指し、コンピューティングデバイスを備え得る。ネットワークデバイスは、ワイヤードおよび／またはワイヤレスネットワークなどを介して、信号（例えば、信号パケットおよび／またはフレーム）を送るおよび／または受信することが可能であり得、これらは、物理メモリ状態としてメモリ中などで、算術および／または論理演算を行うこと、信号を処理および／または記憶することも可能であり得る、および／または、例えば、様々な実施形態におけるサーバとして動作し得る。サーバとして動作することが可能なネットワークデバイス、またはその他のものは、例として、専用ラックマウント方式サーバ、デスクトップコンピュータ、ラップトップコンピュータ、セットトップボックス、タブレット、ネットブック、スマートフォン、ウェアラブルデバイス、上記デバイスの２つ以上の特徴を組み合わせる集積デバイス、同様のまたはこれらの任意の組み合わせを含み得る。信号パケットおよび／またはフレームは、例えば、サーバとクライアントデバイス間、および／または、ワイヤレスネットワークを介して結合されたワイヤレスデバイス間を含むネットワークデバイスの他のタイプ間などで交換され得る。サーバ、サーバデバイス、サーバコンピューティングデバイス、サーバコンピューティングプラットフォーム、および／または同様の用語は、交換して使用可能であることに留意されたい。同様に、クライアント、クライアントデバイス、クライアントコンピューティングデバイス、クライアントコンピューティングプラットフォームという用語、および／または同様の用語もまた、交換して使用可能である。いくつかの事例では、説明を容易にするために、これらの用語は、「クライアントデバイス」または「サーバデバイス」などと呼ばれることによって単数形で使用され得るが、この表現は、必要に応じて、１つまたは複数のクライアントデバイスおよび／または１つまたは複数のサーバデバイスを含むことが意図される。似たような路線で、「データベース」への言及は、必要に応じて、１つまたは複数のデータベースおよび／またはそれらの一部分を意味することが理解される。
【００７８】
[0083]説明を容易にするために、ネットワークデバイス（ネットワーキングデバイスとも呼ばれる）は、コンピューティングデバイスの観点から具現化および／または説明され得ることが理解されるべきである。しかしながら、この説明は、本願請求項に記載される主題事項が、コンピューティングデバイスおよび／またはネットワークデバイスなどの１つの実施形態に限定されると解釈されるべきではなく、むしろ、例えば、１つまたは複数の説明のための例を含む、様々なデバイスまたはそれらの組み合わせとして具現化され得ることがさらに理解されるべきである。
【００７９】
[0084]１つの実装、ある実装、１つの実施形態、ある実施形態、および／または同様のものへの本明細書全体にわたる言及は、特定の実装および／または実施形態に関連して説明される特定の特徴、構造、および／または特性が、本願請求項に記載される主題事項の少なくとも１つの実装および／または実施形態に含まれることを意味する。そのため、例えば、本明細書全体を通じた様々な場所におけるこのような句の出現は、必ずしも同じ実装、または説明される任意の１つの特定の実装に言及することを意図しない。さらに、説明される特定の特徴、構造、および／または特性は、１つまたは複数の実装において様々な方法で組み合わせられることが可能であり、従って、例えば、意図される特許請求の範囲内のものであることが理解されるだろう。当然ながら、一般に、これらのおよび他の課題は、コンテキストで変化する。従って、説明および／または使用の特定のコンテキストは、描かれる推論に関する便利な指標を提供する。
【００８０】
[0085]例となる特徴であると現在みなされるものが例示および説明されているが、本願請求項に記載される主題事項から逸脱することなく、様々な他の修正が行われ得ることおよび同等物が置換され得ることが、当業者によって理解されるだろう。加えて、本明細書に説明された中心的な概念から逸脱せずに、多くの修正が、本願請求項に記載される主題事項の教示に特定の状況を適合させるために行われ得る。従って、本願請求項に記載される主題事項は、開示された特定の例に限定されるものではなく、このような本願請求項に記載される主題事項が添付の特許請求の範囲およびその同等物の範囲内に入る全ての態様もまた含み得ることが意図される。
【図１】
2019500763.tif 000003
【図２Ａ】
2019500763.tif 000004
【図２Ｂ】
2019500763.tif 000005
【図３】
2019500763.tif 000006
【図４】
2019500763.tif 000007
【図５】
2019500763.tif 000008
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
測距サービスを提供する方法であって、
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて測距測定値の特定の品質を受信するために前記モバイルデバイスに特権のレベルを割り当てることと
を備える、方法。
【請求項２】
前記決定された前記特権のレベルに少なくとも部分的に、基づいて前記測距サービスの品質を決定することをさらに備える、
請求項１に記載の方法。
【請求項３】
前記測距サービスが前記モバイルデバイスに対して利用可能でない場合前記モバイルデバイスにメッセージを送信することをさらに備え、前記測距サービスの前記利用可能性は、前記測距サービスの前記決定された品質に少なくとも部分的に、基づく、
請求項２に記載の方法。
【請求項４】
ファインタイミング測定（ＦＴＭ）／ファインタイミング測定要求（ＦＴＭＲ）メッセージの交換を用いるラウンドトリップ時間（ＲＴＴ）測定に基づく測距サービスへのアクセスを前記モバイルデバイスに許可することをさらに備える、
請求項２に記載の方法。
【請求項５】
送信要求（ＲＴＳ）／送信可（ＣＴＳ）メッセージの交換を用いるＲＴＴ測定に基づく測距サービスへのアクセスを前記モバイルデバイスに許可することをさらに備える、
請求項２に記載の方法。
【請求項６】
ＲＴＴ測定に基づく測距サービスへのアクセスを前記モバイルデバイスに許可することをさらに備える、
請求項２に記載の方法。
【請求項７】
以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することをさらに備える、
請求項２に記載の方法。
【請求項８】
以下の、ＲＴＴ測定値におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することをさらに備える、
請求項２に記載の方法。
【請求項９】
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項１に記載の方法。
【請求項１０】
前記特権の前記レベルを前記決定することは、
前記モバイルデバイスに前記１つまたは複数のパラメータをマッピングすることと、
前記１つまたは複数のマッピングされたパラメータに少なくとも部分的に、基づいて前記特権の前記レベルを決定することと
をさらに備える、請求項１に記載の方法。
【請求項１１】
前記１つまたは複数のパラメータは、前記測距サービスの前記品質と前記特権の前記レベルを関連付けるように、前記モバイルデバイスにマッピングされる、
請求項１に記載の方法。
【請求項１２】
前記１つまたは複数のパラメータは、前記モバイルデバイスによってアクセス可能なデータベースにおいて前記モバイルデバイスにマップされる、
請求項１１に記載の方法。
【請求項１３】
前記測距サービスは、ＲＴＴ測定に基づく測距サービスを備える、
請求項１に記載の方法。
【請求項１４】
測距サービスを提供する装置であって、
前記測距サービスを支援する測定値を取得するためにモバイルデバイスから１つまたは複数のメッセージを受信するための手段、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて測距測定値の特定の品質を受信するために前記モバイルデバイスに特権のレベルを割り当てるための手段と
を備える、装置。
【請求項１５】
前記特権の前記レベルを前記決定するための手段は、
前記モバイルデバイスに前記１つまたは複数のパラメータをマッピングするための手段と、
前記１つまたは複数のマッピングされたパラメータに少なくとも部分的に、基づいて前記特権の前記レベルを決定するための手段と
をさらに備える、請求項１４に記載の装置。
【請求項１６】
前記１つまたは複数のパラメータは、前記測距サービスの品質と前記特権の前記レベルを関連付けるように、前記モバイルデバイスにマッピングされる、
請求項１５に記載の装置。
【請求項１７】
測距サービスを提供する装置であって、
前記測距サービスを支援する測定値を取得するためにモバイルデバイスから１つまたは複数のメッセージを受信することを行うように電子通信ネットワークと通信するワイヤレストランシーバ、前記１つまたは複数のメッセージは、前記モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスから受信された前記１つまたは複数のメッセージ中の前記１つまたは複数のパラメータに少なくとも部分的に、基づいて測距測定値の特定の品質を受信するために前記モバイルデバイスに特権のレベルを割り当てること
を行うように構成される、装置。
【請求項１８】
前記１つまたは複数のプロセッサは、前記決定された前記特権のレベルに少なくとも部分的に、基づいて前記測距サービスの品質を決定することを行うようにさらに構成される、
請求項１７に記載の装置。
【請求項１９】
前記１つまたは複数のプロセッサは、前記測距サービスが前記モバイルデバイスに対して利用可能でない場合前記モバイルデバイスにメッセージを送信することを行うようにさらに構成され、前記測距サービスの前記利用可能性は、前記測距サービスの前記決定された品質に少なくとも部分的に、基づく、
請求項１８に記載の装置。
【請求項２０】
１つまたは複数のプロセッサは、ＦＴＭ／ＦＴＭＲメッセージの交換を用いるＲＴＴ測定に基づいて測距サービスへのアクセスを前記モバイルデバイスに許可することを行うようにさらに構成される、
請求項１８に記載の装置。
【請求項２１】
前記１つまたは複数のプロセッサは、ＲＴＳ／ＣＴＳメッセージの交換を用いるＲＴＴ測定に基づいて測距サービスへのアクセスを前記モバイルデバイスに許可することをさらに行うようにさらに構成される、
請求項１８に記載の装置。
【請求項２２】
前記１つまたは複数のプロセッサは、ＲＴＴ測定に基づいて測距サービスへのアクセスを前記モバイルデバイスに許可することを行うようにさらに構成される、
請求項１８に記載の装置。
【請求項２３】
前記１つまたは複数のプロセッサは、以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することを行うようにさらに構成される、
請求項１８に記載の装置。
【請求項２４】
前記１つまたは複数のプロセッサは、以下の、ＲＴＴ測定におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することを行うようにさらに構成される、
請求項１８に記載の装置。
【請求項２５】
前記１つまたは複数のパラメータは、以下の、前記モバイルデバイスのＭＡＣアドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項１７に記載の装置。
【請求項２６】
前記特権の前記レベルを決定することを行うように構成される前記１つまたは複数のプロセッサは、
前記モバイルデバイスに前記１つまたは複数のパラメータをマッピングすることと、
前記１つまたは複数のマッピングされたパラメータに少なくとも部分的に、基づくべき前記特権の前記レベルを決定することと
を行うようにさらに構成される、請求項１７に記載の装置。
【請求項２７】
前記１つまたは複数のパラメータは、前記測距サービスの前記品質と前記特権の前記レベルを関連付けるように、前記モバイルデバイスにマッピングされる、
請求項１７に記載の装置。
【請求項２８】
前記１つまたは複数のパラメータは、前記モバイルデバイスによってアクセス可能なデータベースにおいて前記モバイルデバイスにマップされる、
請求項２７に記載の装置。
【請求項２９】
前記測距サービスは、ＲＴＴ測定に基づく測距サービスを備える、
請求項１７に記載の装置。
【請求項３０】
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて測距測定値の特定の品質を受信するために前記モバイルデバイスに特権のレベルを割り当てることと
を行うようにプロセッサによって実行可能な命令を有する非一時的記憶媒体。
【請求項３１】
測距サービスを提供する方法であって、
モバイルデバイスで、前記測距サービスを支援する測定値を取得するために１つまたは複数のメッセージを送信すること、前記１つまたは複数のメッセージは、前記モバイルデバイスの１つまたは複数の特徴に対応する１つまたは複数のパラメータを備える、と、
前記モバイルデバイスの前記１つまたは複数の特徴に対応する前記１つまたは複数のパラメータに少なくとも部分的に、基づいて測距測定値の特定の品質を受信するために前記モバイルデバイスに割り当てられた特権のレベルを示すメッセージを受信することと
を備える、方法。
【請求項３２】
前記特権の前記決定されたレベルに少なくとも部分的に、基づいて前記測距サービスの品質を受信することをさらに備え、前記測距サービスの前記品質は、前記モバイルデバイスの１つまたは複数の特徴に対応する前記１つまたは複数のパラメータに少なくとも部分的に、基づいて決定される、
請求項３１に記載の方法。
【請求項３３】
前記測距サービスが前記モバイルデバイスに対して利用可能でない場合、メッセージを受信することをさらに備え、前記測距サービスの前記利用可能性は、前記測距サービスの前記決定された品質に少なくとも部分的に、基づく、
請求項３２に記載の方法。
【請求項３４】
ファインタイミング測定（ＦＴＭ）／ファインタイミング測定要求（ＦＴＭＲ）メッセージの交換を用いるラウンドトリップ時間（ＲＴＴ）測定に基づく測距サービスにアクセスすることをさらに備える、
請求項３２に記載の方法。
【請求項３５】
送信要求（ＲＴＳ）／送信可（ＣＴＳ）メッセージの交換を用いるＲＴＴ測定に基づく測距サービスにアクセスすることをさらに備える、
請求項３２に記載の方法。
【請求項３６】
以下の、ＦＴＭ／ＦＴＭＲメッセージ交換、ＲＴＳ／ＣＴＳメッセージ交換、またはこれらの任意の組み合わせのうちの少なくとも１つを用いる、周期性を制限したＲＴＴ測定を取得することさらに備える、
請求項３２に記載の方法。
【請求項３７】
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
請求項３１に記載の方法。
【請求項３８】
測距サービスを提供する装置であって、
前記測距サービスを支援する測定値を取得するために１つまたは複数のメッセージを送信することを行うように電子通信ネットワークと通信するワイヤレストランシーバ、前記１つまたは複数のメッセージは、モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスの前記１つまたは複数の特徴に対応する前記１つまたは複数のパラメータに少なくとも部分的に、基づいて測距測定値の特定の品質を受信するために前記モバイルデバイスに割り当てられた特権のレベルを示すメッセージを受信すること
を行うように構成される、装置。
【請求項３９】
前記１つまたは複数のプロセッサは、前記決定された前記特権のレベルに少なくとも部分的に、基づいて前記測距サービスの品質を受信することを行うようにさらに構成される、
請求項３８に記載の装置。
【請求項４０】
前記１つまたは複数のプロセッサは、ＦＴＭ／ＦＴＭＲメッセージの交換を用いるＲＴＴ測定に基づく測距サービスにアクセスすること、またはＲＴＳ／ＣＴＳメッセージの交換を用いるＲＴＴ測定に基づいて測距サービスにアクセスすることを行うようにさらに構成される、
請求項３９に記載の装置。
【手続補正２】
【補正対象書類名】明細書
【補正対象項目名】００８０
【補正方法】変更
【補正の内容】
【００８０】
[0085]例となる特徴であると現在みなされるものが例示および説明されているが、本願請求項に記載される主題事項から逸脱することなく、様々な他の修正が行われ得ることおよび同等物が置換され得ることが、当業者によって理解されるだろう。加えて、本明細書に説明された中心的な概念から逸脱せずに、多くの修正が、本願請求項に記載される主題事項の教示に特定の状況を適合させるために行われ得る。従って、本願請求項に記載される主題事項は、開示された特定の例に限定されるものではなく、このような本願請求項に記載される主題事項が添付の特許請求の範囲およびその同等物の範囲内に入る全ての態様もまた含み得ることが意図される。
以下に、本願出願の当初の特許請求の範囲に記載された発明を付記する。
［Ｃ１］
測距サービスを提供する方法であって、
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定することと
を備える、方法。
［Ｃ２］
前記決定された前記特権のレベルに少なくとも部分的に、基づいて前記測距サービスの品質を決定することをさらに備える、
［Ｃ１］に記載の方法。
［Ｃ３］
前記測距サービスが前記モバイルデバイスに対して利用可能でない場合前記モバイルデバイスにメッセージを送信することをさらに備え、前記測距サービスの前記利用可能性は、前記測距サービスの前記決定された品質に少なくとも部分的に、基づく、
［Ｃ２］に記載の方法。
［Ｃ４］
ファインタイミング測定（ＦＴＭ）／ファインタイミング測定要求（ＦＴＭＲ）メッセージの交換を用いるラウンドトリップ時間（ＲＴＴ）測定に基づく測距サービスへのアクセスを前記モバイルデバイスに許可することをさらに備える、
［Ｃ２］に記載の方法。
［Ｃ５］
送信要求（ＲＴＳ）／送信可（ＣＴＳ）メッセージの交換を用いるＲＴＴ測定に基づく測距サービスへのアクセスを前記モバイルデバイスに許可することをさらに備える、
［Ｃ２］に記載の方法。
［Ｃ６］
ＲＴＴ測定に基づく測距サービスへのアクセスを前記モバイルデバイスに許可することをさらに備える、
［Ｃ２］に記載の方法。
［Ｃ７］
以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することをさらに備える、
［Ｃ２］に記載の方法。
［Ｃ８］
以下の、ＲＴＴ測定値におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することをさらに備える、
［Ｃ２］に記載の方法。
［Ｃ９］
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
［Ｃ１］に記載の方法。
［Ｃ１０］
前記特権の前記レベルを前記決定することは、
前記モバイルデバイスに前記１つまたは複数のパラメータをマッピングすることと、
前記１つまたは複数のマッピングされたパラメータに少なくとも部分的に、基づいて前記特権の前記レベルを決定することと
をさらに備える、［Ｃ１］に記載の方法。
［Ｃ１１］
前記１つまたは複数のパラメータは、前記測距サービスの前記品質と前記特権の前記レベルを関連付けるように、前記モバイルデバイスにマッピングされる、
［Ｃ１］に記載の方法。
［Ｃ１２］
前記１つまたは複数のパラメータは、前記モバイルデバイスによってアクセス可能なデータベースにおいて前記モバイルデバイスにマップされる、
［Ｃ１１］に記載の方法。
［Ｃ１３］
前記測距サービスは、ＲＴＴ測定に基づく測距サービスを備える、
［Ｃ１］に記載の方法。
［Ｃ１４］
測距サービスを提供する装置であって、
前記測距サービスを支援する測定値を取得するためにモバイルデバイスから１つまたは複数のメッセージを受信するための手段、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定するための手段と
を備える、装置。
［Ｃ１５］
前記特権の前記レベルを前記決定するための手段は、
前記モバイルデバイスに前記１つまたは複数のパラメータをマッピングするための手段と、
前記１つまたは複数のマッピングされたパラメータに少なくとも部分的に、基づいて前記特権の前記レベルを決定するための手段と
をさらに備える、［Ｃ１４］に記載の装置。
［Ｃ１６］
前記１つまたは複数のパラメータは、前記測距サービスの品質と前記特権の前記レベルを関連付けるように、前記モバイルデバイスにマッピングされる、
［Ｃ１５］に記載の装置。
［Ｃ１７］
測距サービスを提供する装置であって、
前記測距サービスを支援する測定値を取得するためにモバイルデバイスから１つまたは複数のメッセージを受信することを行うように電子通信ネットワークと通信するワイヤレストランシーバ、前記１つまたは複数のメッセージは、前記モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスから受信された前記１つまたは複数のメッセージ中の前記１つまたは複数のパラメータに少なくとも部分的に、基づいて前記モバイルデバイスの特権のレベルを決定すること
を行うように構成される、装置。
［Ｃ１８］
前記１つまたは複数のプロセッサは、前記決定された前記特権のレベルに少なくとも部分的に、基づいて前記測距サービスの品質を決定することを行うようにさらに構成される、
［Ｃ１７］に記載の装置。
［Ｃ１９］
前記１つまたは複数のプロセッサは、前記測距サービスが前記モバイルデバイスに対して利用可能でない場合前記モバイルデバイスにメッセージを送信することを行うようにさらに構成され、前記測距サービスの前記利用可能性は、前記測距サービスの前記決定された品質に少なくとも部分的に、基づく、
［Ｃ１８］に記載の装置。
［Ｃ２０］
１つまたは複数のプロセッサは、ＦＴＭ／ＦＴＭＲメッセージの交換を用いるＲＴＴ測定に基づいて測距サービスへのアクセスを前記モバイルデバイスに許可することを行うようにさらに構成される、
［Ｃ１８］に記載の装置。
［Ｃ２１］
前記１つまたは複数のプロセッサは、ＲＴＳ／ＣＴＳメッセージの交換を用いるＲＴＴ測定に基づいて測距サービスへのアクセスを前記モバイルデバイスに許可することをさらに行うようにさらに構成される、
［Ｃ１８］に記載の装置。
［Ｃ２２］
前記１つまたは複数のプロセッサは、ＲＴＴ測定に基づいて測距サービスへのアクセスを前記モバイルデバイスに許可することを行うようにさらに構成される、
［Ｃ１８］に記載の装置。
［Ｃ２３］
前記１つまたは複数のプロセッサは、以下の、ＦＴＭ／ＦＴＭＲメッセージ交換、ＲＴＳ／ＣＴＳメッセージ交換、またはこれらの任意の組み合わせのうちの少なくとも１つのＲＴＴ測定の周期性を制限することを行うようにさらに構成される、
［Ｃ１８］に記載の装置。
［Ｃ２４］
前記１つまたは複数のプロセッサは、以下の、ＲＴＴ測定におけるランダムエラーの導入、ワイヤレス送信機ロケーションにおけるランダムエラーの導入、またはこれらの任意の組み合わせのうちの少なくとも１つを用いて前記モバイルデバイスのための前記測距サービスの前記品質を低減することを行うようにさらに構成される、
［Ｃ１８］に記載の装置。
［Ｃ２５］
前記１つまたは複数のパラメータは、以下の、前記モバイルデバイスのＭＡＣアドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
［Ｃ１７］に記載の装置。
［Ｃ２６］
前記特権の前記レベルを決定することを行うように構成される前記１つまたは複数のプロセッサは、
前記モバイルデバイスに前記１つまたは複数のパラメータをマッピングすることと、
前記１つまたは複数のマッピングされたパラメータに少なくとも部分的に、基づくべき前記特権の前記レベルを決定することと
を行うようにさらに構成される、［Ｃ１７］に記載の装置。
［Ｃ２７］
前記１つまたは複数のパラメータは、前記測距サービスの前記品質と前記特権の前記レベルを関連付けるように、前記モバイルデバイスにマッピングされる、
［Ｃ１７］に記載の装置。
［Ｃ２８］
前記１つまたは複数のパラメータは、前記モバイルデバイスによってアクセス可能なデータベースにおいて前記モバイルデバイスにマップされる、
［Ｃ２７］に記載の装置。
［Ｃ２９］
前記測距サービスは、ＲＴＴ測定に基づく測距サービスを備える、
［Ｃ１７］に記載の装置。
［Ｃ３０］
前記測距サービスを支援する測定値を取得するためにモバイルデバイスから１つまたは複数のメッセージを受信すること、前記１つまたは複数のメッセージは、前記モバイルデバイスの１つまたは複数の特徴に対応する１つまたは複数のパラメータを備える、と、
前記モバイルデバイスから受信された前記１つまたは複数のメッセージ中の前記１つまたは複数のパラメータに少なくとも部分的に、基づいて前記モバイルデバイスの特権のレベルを決定することと
を行うようにプロセッサによって実行可能な命令を有する非一時的記憶媒体。
［Ｃ３１］
測距サービスを提供する方法であって、
モバイルデバイスで、前記測距サービスを支援する測定値を取得するために１つまたは複数のメッセージを送信すること、前記１つまたは複数のメッセージは、前記モバイルデバイスの１つまたは複数の特徴に対応する１つまたは複数のパラメータを備える、と、
前記モバイルデバイスの前記１つまたは複数の特徴に対応する前記１つまたは複数のパラメータに少なくとも部分的に、基づいて前記モバイルデバイスのための決定された特権のレベルを示すメッセージを受信することと
を備える、方法。
［Ｃ３２］
前記特権の前記決定されたレベルに少なくとも部分的に、基づいて前記測距サービスの品質を受信することをさらに備え、前記測距サービスの前記品質は、前記モバイルデバイスの１つまたは複数の特徴に対応する前記１つまたは複数のパラメータに少なくとも部分的に、基づいて決定される、
［Ｃ３１］に記載の方法。
［Ｃ３３］
前記測距サービスが前記モバイルデバイスに対して利用可能でない場合、メッセージを受信することをさらに備え、前記測距サービスの前記利用可能性は、前記測距サービスの前記決定された品質に少なくとも部分的に、基づく、
［Ｃ３２］に記載の方法。
［Ｃ３４］
ファインタイミング測定（ＦＴＭ）／ファインタイミング測定要求（ＦＴＭＲ）メッセージの交換を用いるラウンドトリップ時間（ＲＴＴ）測定に基づく測距サービスにアクセスすることをさらに備える、
［Ｃ３２］に記載の方法。
［Ｃ３５］
送信要求（ＲＴＳ）／送信可（ＣＴＳ）メッセージの交換を用いるＲＴＴ測定に基づく測距サービスにアクセスすることをさらに備える、
［Ｃ３２］に記載の方法。
［Ｃ３６］
以下の、ＦＴＭ／ＦＴＭＲメッセージ交換、ＲＴＳ／ＣＴＳメッセージ交換、またはこれらの任意の組み合わせのうちの少なくとも１つを用いる、周期性を制限したＲＴＴ測定を取得することさらに備える、
［Ｃ３２］に記載の方法。
［Ｃ３７］
前記１つまたは複数のパラメータは、以下の、前記モバイルデバイスの媒体アクセス制御（ＭＡＣ）アドレス、前記モバイルデバイスのモデル、前記モバイルデバイスのオペレーティングシステム、前記モバイルデバイスの測距能力、ワイヤレスサービスに関するパラメータ、前記測距サービスの前記品質と前記モバイルデバイスを関連付けるパラメータ、またはこれらの任意の組み合わせのうちの少なくとも１つを備える、
［Ｃ３１］に記載の方法。
［Ｃ３８］
測距サービスを提供する装置であって、
前記測距サービスを支援する測定値を取得するために１つまたは複数のメッセージを送信することを行うように電子通信ネットワークと通信するワイヤレストランシーバ、前記１つまたは複数のメッセージは、モバイルデバイスの１つまたは複数の特徴に対応する１つまたは複数のパラメータを備える、と、
メモリに結合される１つまたは複数のプロセッサと
を備え、前記１つまたは複数のプロセッサおよび前記メモリは、
前記モバイルデバイスの前記１つまたは複数の特徴に対応する前記１つまたは複数のパラメータに少なくとも部分的に、基づいて前記モバイルデバイスのための決定された特権のレベルを示すメッセージを受信すること
を行うように構成される、装置。
［Ｃ３９］
前記１つまたは複数のプロセッサは、前記決定された前記特権のレベルに少なくとも部分的に、基づいて前記測距サービスの品質を受信することを行うようにさらに構成される、
［Ｃ３８］に記載の装置。
［Ｃ４０］
前記１つまたは複数のプロセッサは、ＦＴＭ／ＦＴＭＲメッセージの交換を用いるＲＴＴ測定に基づく測距サービスにアクセスすること、またはＲＴＳ／ＣＴＳメッセージの交換を用いるＲＴＴ測定に基づいて測距サービスにアクセスすることを行うようにさらに構成される、
［Ｃ３９］に記載の装置。
【国際調査報告】
2019500763.tif 000009
2019500763.tif 000010